(57)【要約】  実施形態は、Ｌ字状の内部を形成する部分を有する下肢マッサージシステムに関する。管状部分は、第１の端セクションと左上壁および右上壁とを含む。細長部分は、第２の端セクションと前方頂壁および前方底壁とを含む。角部は、管状部分と細長部分との間に形成される。角部は、左下壁および右下壁と後方頂壁および後方底壁とを含む。第１の拡大可能部材は前方頂壁部分を形成し、細長部分内部に向けて拡大可能である。第２の拡大可能部材は後方頂壁部分を形成し、角部内部に向けて拡大可能である。突出部材は後方底壁の下に位置決め可能であり、角部内部に向けて突出するように作動可能である。第２の拡大可能部材および突出部材は、協働して足裏を加圧する。突出部材は、第２の端セクションと角部の曲げセクションとの間に引いた線に垂直な軸の周りを回転する。
2020509920.tif 000002
【特許請求の範囲】
【請求項１】
下肢マッサージシステムであって、
Ｌ字状の内部空洞を形成するように隣接して配置される複数の部分を有する主筐体を備え、前記主筐体は、
少なくとも、前記主筐体の一方端にある第１の端セクションと、左上壁と、前記左上壁とは反対の右上壁とを有する管状部分と、
少なくとも、前記主筐体の別の端にある第２の端セクションと、前方頂壁と、前記前方頂壁とは反対の前方底壁とを有する細長部分と、
前記管状部分と細長部分との間に形成される角部とを含み、前記角部は、少なくとも、左下壁と、前記左下壁とは反対の右下壁と、後方頂壁と、前記後方頂壁とは反対の後方底壁とを有し、前記下肢マッサージシステムはさらに、
複数の拡大可能部材を備え、前記複数の拡大可能部材は、
前記細長部分に設けられかつ前記第２の端セクションに近位の前記前方頂壁の少なくとも一部を形成する第１の拡大可能部材を含み、前記第１の拡大可能部材は、前記細長部分の内部に向けて拡大するように構成可能であり、前記複数の拡大可能部材はさらに、
前記角部に設けられかつ前記後方頂壁の少なくとも一部を形成する第２の拡大可能部材を含み、前記第２の拡大可能部材は前記角部の内部に向けて拡大するように構成可能であり、前記下肢マッサージシステムはさらに、
前記底壁に接するように構成可能な１つ以上の突出部材を備え、前記１つ以上の突出部材は、少なくとも前記後方底壁の下に位置決め可能でありかつ少なくとも前記角部の前記内部に向けて突出するように作動可能であり、
前記第２の拡大可能部材および前記１つ以上の突出部材は、協働して、前記下肢部分の爪先部分と踵部分との間の足裏の少なくとも一部を加圧するように構成可能であり、
前記１つ以上の突出部材は、前記第２の端セクションと前記角部の曲げセクションとの間に引いた線に垂直な軸の周りを回転するように構成可能であり、
前記細長部分の前記内部に向けた前記１つ以上の突出部材の突出は回転を介して制御可能である、下肢マッサージシステム。
【請求項２】
前記左下壁、右下壁、後方頂壁、および後方底壁は、前記左上壁、右上壁、前方頂壁、および前方底壁とそれぞれ連通する、請求項１に記載の下肢マッサージシステム。
【請求項３】
前記第１の拡大可能部材は第１の入力ポートを備え、前記第１の拡大可能部材は、前記第１の入力ポートを介して正圧が加えられると前記細長部分の前記内部に向けて拡大するように構成可能であり、
前記第２の拡大可能部材は第２の入力ポートを備え、前記第２の拡大可能部材は、前記第２の入力ポートを介して正圧が加えられると前記角部の前記内部に向けて拡大するように構成可能である、請求項１に記載の下肢マッサージシステム。
【請求項４】
前記下肢マッサージシステムはさらに、前記角部に設けられかつ前記左下壁の少なくとも一部を形成する第３の拡大可能部材をさらに備え、前記第３の拡大可能部材は、第３の入力ポートを有しかつ前記第３の入力ポートを介して正圧が加えられると前記角部の前記内部に向けて拡大するように構成可能であり、前記下肢マッサージシステムはさらに
前記管状部分に設けられかつ前記左上壁の少なくとも一部を形成する第４の拡大可能部材を備え、前記第４の拡大可能部材は、第４の入力ポートを有しかつ前記第４の入力ポートを介して正圧が加えられると前記管状部分の内部に向けて拡大するように構成可能であり、前記下肢マッサージシステムはさらに
前記管状部分に設けられかつ前記左上壁の少なくとも一部を形成する第５の拡大可能部材を備え、前記第５の拡大可能部材は、第５の入力ポートを有しかつ前記第５の入力ポートを介して正圧が加えられると前記管状部分の前記内部に向けて拡大するように構成可能であり、前記下肢マッサージシステムはさらに
前記角部に設けられかつ前記右下壁の少なくとも一部を形成する第６の拡大可能部材を備え、前記第６の拡大可能部材は、第６の入力ポートを有しかつ前記第６の入力ポートを介して正圧が加えられると前記角部の前記内部に向けて拡大するように構成可能であり、前記下肢マッサージシステムはさらに
前記角部に設けられかつ前記右下壁の少なくとも一部を形成する第７の拡大可能部材を備え、前記第７の拡大可能部材は、第７の入力ポートを有しかつ前記第７の入力ポートを介して正圧が加えられると前記角部の前記内部に向けて拡大するように構成可能であり、前記下肢マッサージシステムはさらに
前記管状部分に設けられかつ前記右上壁の少なくとも一部を形成する第８の拡大可能部材を備え、前記第８の拡大可能部材は、第８の入力ポートを有しかつ前記第８の入力ポートを介して正圧が加えられると前記管状部分の前記内部に向けて拡大するように構成可能である、請求項３に記載の下肢マッサージシステム。
【請求項５】
下肢が前記主筐体に挿入された際、前記第１の端セクションは前記下肢の少なくとも脹脛部分を収容するように構成可能であり、前記第２の端セクションは前記下肢の少なくとも爪先部分を収容するように構成可能であり、かつ前記角部は前記下肢の少なくとも足首および踵部分を収容するように構成可能である、請求項１に記載の下肢マッサージシステム。
【請求項６】
前記第３の拡大可能部材は実質的にＬ字状体を含むこと、
前記第４の拡大可能部材は実質的にＬ字状体を含むこと、
前記第５の拡大可能部材は実質的にＬ字状体を含むこと、
前記第６の拡大可能部材は実質的に四辺形状体を含むこと、
前記第７の拡大可能部材は実質的に四辺形状体を含むこと、
前記第８の拡大可能部材は実質的に四辺形状体を含むこと、
前記第４の拡大可能部材および第５の拡大可能部材は、前記第４の拡大可能部材と第５の拡大可能部材とを合わせた形状が四辺形に似るような態様で隣接して位置決めされること、
前記第４の拡大可能部材および第５の拡大可能部材は、前記第４の拡大可能部材と前記第５の拡大可能部材とを合わせた前記形状が前記第８の拡大可能部材の形状に似るような態様で隣接して位置決めされること、
前記第６の拡大可能部材および第７の拡大可能部材は、前記第６の拡大可能部材と第７の拡大可能部材とを合わせた前記形状がＬ字に似るような態様で隣接して位置決めされること、ならびに／または
前記第６の拡大可能部材および第７の拡大可能部材は、前記第６の拡大可能部材と第７の拡大可能部材とを合わせた前記形状が前記第３の拡大可能部材の形状に似るような態様で隣接して位置決めされること、
のうち１つ以上が当てはまる、請求項４に記載の下肢マッサージシステム。
【請求項７】
前記第１の拡大可能部材は実質的に台形状体を含むこと、
前記第２の拡大可能部材は実質的に六角形状体を含むこと、ならびに／または
前記第１の拡大可能部材および第２の拡大可能部材は、前記第１の拡大可能部材の少なくとも一部が前記第２の拡大可能部材に隣接しかつ前記第１の拡大可能部材が前記第２の端セクションと前記第２の拡大可能部材との間に位置決めされるような態様で位置決めされること、
のうち１つ以上が当てはまる、請求項１に記載の下肢マッサージシステム。
【請求項８】
前記拡大可能部材のうち１つ以上に正圧を与えるように動作可能な１つ以上の正圧源をさらに備える、請求項４に記載の下肢マッサージシステム。
【請求項９】
前記拡大可能部材のうち１つ以上は独立して拡大可能である、請求項４に記載の下肢マッサージシステム。
【請求項１０】
前記第１の拡大可能部材に加えられる前記正圧は、前記細長部分の前記内部に向けた前記第１の拡大可能部材の拡大を制御するように選択的に制御可能であること、
前記第２の拡大可能部材に加えられる前記正圧は、前記角部の前記内部に向けた前記第２の拡大可能部材の拡大を制御するように選択的に制御可能であること、
前記第３の拡大可能部材に加えられる前記正圧は、前記角部の前記内部に向けた前記第３の拡大可能部材の拡大を制御するように選択的に制御可能であること、
前記第４の拡大可能部材に加えられる前記正圧は、前記管状部分の前記内部に向けた前記第４の拡大可能部材の拡大を制御するように選択的に制御可能であること、
前記第５の拡大可能部材に加えられる前記正圧は、前記管状部分の前記内部に向けた前記第５の拡大可能部材の拡大を制御するように選択的に制御可能であること、
前記第６の拡大可能部材に加えられる前記正圧は、前記角部の前記内部に向けた前記第６の拡大可能部材の拡大を制御するように選択的に制御可能であること、
前記第７の拡大可能部材に加えられる前記正圧は、前記角部の前記内部に向けた前記第７の拡大可能部材の拡大を制御するように選択的に制御可能であること、および
前記第８の拡大可能部材に加えられる前記正圧は、前記管状部分の前記内部に向けた前記第８の拡大可能部材の拡大を制御するように選択的に制御可能であること、
のうち１つ以上が当てはまる、請求項４に記載の下肢マッサージシステム。
【請求項１１】
前記第１の拡大可能部材は、内庭ツボおよび／または侠谿ツボを含む１つ以上のツボを加圧するような態様で意図的に拡大可能であること、
前記第２の拡大可能部材は、衝陽ツボおよび／または解谿ツボを含む１つ以上のツボを加圧するような態様で意図的に拡大可能であること、
前記第３の拡大可能部材は、僕参ツボ、申脈ツボ、および／または金門ツボを含む１つ以上のツボを加圧するような態様で意図的に拡大可能であること、
前記第４の拡大可能部材は、飛陽ツボおよび／または外丘ツボを含む１つ以上のツボを加圧するような態様で意図的に拡大可能であること、
前記第５の拡大可能部材は、上巨虚ツボおよび／または豊隆ツボを含む１つ以上のツボを加圧するような態様で意図的に拡大可能であること、
前記第６の拡大可能部材は、水泉ツボおよび／または照海ツボを含む１つ以上のツボを加圧するような態様で意図的に拡大可能であること、
前記第７の拡大可能部材は、交信ツボおよび／または復溜ツボを含む１つ以上のツボを加圧するような態様で意図的に拡大可能であること、ならびに
前記第８の拡大可能部材は、築賓ツボ、承山ツボ、および／または漏谷ツボを含む１つ以上のツボを加圧するような態様で意図的に拡大可能であること、
のうち１つ以上が当てはまる、請求項４に記載の下肢マッサージシステム。
【請求項１２】
前記下肢マッサージシステムは、前記前方底壁に接するように構成可能な１つ以上の第２の突出部材をさらに備え、前記１つ以上の第２の突出部材は前記第２の端セクションに近位でありかつ前記細長部分の前記内部に向けて突出するように作動可能であり、前記下肢マッサージシステムはさらに
前記後方底壁に接するように構成可能な１つ以上の第３の突出部材をさらに備え、前記１つ以上の第３の突出部材は前記角部の曲げセクションに近位でありかつ前記角部の前記内部に向けて突出するように作動可能であり、
前記第１の拡大可能部材および前記１つ以上の第１の突出部材は、協働して、裏内庭ツボを含む前記下肢の前記爪先部分に近位の前記足裏の少なくとも一部を加圧するように構成可能であり、
前記１つ以上の第２の突出部材は、失眠ツボを含む前記足の少なくとも踵部分を加圧するように構成可能であり、
前記第２の拡大可能部材および前記１つ以上の第３の突出部材は、協働して湧泉ツボを加圧するように構成可能である、請求項１に記載の下肢マッサージシステム。
【請求項１３】
請求項１に記載の前記下肢マッサージシステムを制御するための処理システムであって、
プロセッサを備え、前記プロセッサは、
前記１つ以上の突出部材を回転させて前記主筐体の前記内部に向けて突出させ、
徐々に増大する正圧を前記第２の拡大可能部材に加え、
前記正圧が加えられている間、前記１つ以上の突出部材を第１の方向に第１の期間回転させ、
前記正圧が加えられている間、前記１つ以上の突出部材の回転を第２の期間停止させ、
前記正圧が加えられている間、前記１つ以上の突出部材を前記第１の方向とは反対の第２の方向に第３の期間回転させ、かつ
前記正圧が加えられている間、前記１つ以上の突出部材の回転を第４の期間停止させる、
ように構成可能である、処理システム。
【請求項１４】
前記プロセッサは、
前記１つ以上の第２の突出部材を作動させて前記主筐体の前記内部に向けて突出させ、
前記１つ以上の第３の突出部材を作動させて前記主筐体の前記内部に向けて突出させ、かつ
徐々に増大する正圧を前記第１の拡大可能部材に加える、
ように構成可能である、請求項１３に記載の処理システム。
【請求項１５】
前記プロセッサは、湧泉ツボを含む１つ以上のツボを加圧するような態様で、前記１つ以上の突出部材を協働して回転させかつ前記第２の拡大可能部材および／または第１の拡大可能部材を拡大させるように構成可能である、請求項１３に記載の処理システム。
【請求項１６】
前記プロセッサは前記動作を繰返すように構成可能である、請求項１３に記載の処理システム。
【請求項１７】
前記第１の方向は時計回り方向であること、
前記第１の期間は約０．１から５秒の間であること、
前記第２の期間は約０．１から５秒の間であること、
前記第３の期間は約０．１から５秒の間であること、および／または
前記第４の期間は約０．１から５秒の間であること、
のうち１つ以上が当てはまる、請求項１３に記載の処理システム。
【請求項１８】
前記第１の方向は時計回り方向であること、
前記第１の期間は約０．１から０．９秒の間であること、
前記第２の期間は約０．２から０．８秒の間であること、
前記第３の期間は約０．２から０．９秒の間であること、および／または
前記第４の期間は約０．２から０．８秒の間であること、
のうち１つ以上が当てはまる、請求項１３に記載の処理システム。
【請求項１９】
下肢マッサージシステムであって、
下肢を受けるように構成可能な主筐体を備え、前記主筐体は、少なくとも、前記主筐体の第１の端にある第１の端セクションと、主筐体の別の端にある第２の端セクションと、左壁と、前記左壁とは反対の右壁とを含み、前記下肢マッサージシステムはさらに
複数の拡大可能部材を備え、前記複数の拡大可能部材は、
前記第１の端セクションに近位の前記左壁の少なくとも一部を形成する第１の左拡大可能部材を含み、前記第１の左拡大可能部材は第１の入力ポートを有しかつ前記第１の入力ポートを介して正圧が加えられると前記主筐体の内部に向けて拡大するように構成可能であり、前記複数の拡大可能部材はさらに
前記第１の端セクションに近位の前記左壁の少なくとも一部を形成する第２の左拡大可能部材を含み、前記第２の左拡大可能部材は第２の入力ポートを有しかつ前記第２の入力ポートを介して正圧が加えられると前記主筐体の前記内部に向けて拡大するように構成可能であり、前記複数の拡大可能部材はさらに
前記第１の端セクションに近位の前記右壁の少なくとも一部を形成する第１の右拡大可能部材を含み、前記第１の右拡大可能部材は第３の入力ポートを有しかつ前記第３の入力ポートを介して正圧が加えられると前記主筐体の前記内部に向けて拡大するように構成可能であり、
前記第１の左拡大可能部材は実質的にＬ字状体を含み、前記第２の左拡大可能部材は実質的にＬ字状体を含む、下肢マッサージシステム。
【請求項２０】
前記第１の左拡大可能部材、第２の左拡大可能部材、および第１の右拡大可能部材の各々は、互いとは独立して拡大するように構成可能であり、
下肢が前記主筐体に挿入されると、
前記第１の左拡大可能部材は、飛陽ツボおよび／または外丘ツボを含む前記下肢の脹脛の第１の部分を加圧するような態様で拡大するように構成可能であり、
前記第２の左拡大可能部材は、上巨虚ツボおよび／または豊隆ツボを含む前記下肢の前記脹脛の第２の部分を加圧するような態様で拡大するように構成可能であり、かつ
前記第１の右拡大可能部材は、築賓ツボ、承山ツボ、および／または漏谷ツボを含む前記下肢の前記脹脛の第３の部分を加圧するような態様で拡大するように構成可能である、請求項１９に記載の下肢マッサージシステム。
【請求項２１】
前記下肢マッサージシステムは、前記第２の端セクションに近位の前記左壁の少なくとも一部を形成する第３の左拡大可能部材をさらに備え、前記第３の左拡大可能部材は第４の入力ポートを有しかつ前記第４の入力ポートを介して正圧が加えられると前記主筐体の前記内部に向けて拡大するように構成可能であり、前記下肢マッサージシステムはさらに
前記第２の端セクションに近位の前記右壁の少なくとも一部を形成する第２の右拡大可能部材を備え、前記第２の右拡大可能部材は第５の入力ポートを有しかつ前記第５の入力ポートを介して正圧が加えられると前記主筐体の前記内部に向けて拡大するように構成可能であり、前記下肢マッサージシステムはさらに
前記第１の右拡大可能部材と第２の右拡大可能部材との間に前記右壁の少なくとも一部を形成する第３の右拡大可能部材を備え、前記第３の右拡大可能部材は第６の入力ポートを有しかつ前記第６の入力ポートを介して正圧が加えられると前記主筐体の前記内部に向けて拡大するように構成可能であり、
前記第３の左拡大可能部材は実質的にＬ字状体を含み、
前記第２の右拡大可能部材および第３の右拡大可能部材は合わさって実質的にＬ字状体を形成する、請求項１９に記載の下肢マッサージシステム。
【請求項２２】
前記拡大可能部材のうち１つ以上に正圧を与えるように動作可能な１つ以上の正圧源をさらに備える、請求項１９に記載の下肢マッサージシステム。
【請求項２３】
前記拡大可能部材のうち１つ以上は独立して拡大可能である、請求項１９に記載の下肢マッサージシステム。
【請求項２４】
前記拡大可能部材のうち１つ以上に加えられる前記正圧は、前記１つ以上の拡大可能部材の拡大を制御するように選択的に制御可能である、請求項１９に記載の下肢マッサージシステム。
【請求項２５】
前記第３の左拡大可能部材は、僕参ツボ、申脈ツボ、および／もしくは金門ツボを含む１つ以上のツボを加圧するような態様で拡大するように構成可能であること、
前記第２の右拡大可能部材は、水泉ツボおよび／もしくは照海ツボを含む１つ以上のツボを加圧するような態様で拡大するように構成可能であること、ならびに／または
前記第３の右拡大可能部材は、交信ツボおよび／もしくは復溜ツボを含む１つ以上のツボを加圧するような態様で拡大するように構成可能であること、
のうち１つ以上が当てはまる、請求項２１に記載の下肢マッサージシステム。
【発明の詳細な説明】
【技術分野】
【０００１】
背景
本開示は概してマッサージシステムおよび装置に関し、より具体的には、とりわけ、下肢のツボを含むある身体部分の意図的に標的を定めたマッサージを行なうためのシステム、装置、および方法に関する。
【背景技術】
【０００２】
マッサージ技術の近年の進歩および改良により、ユーザは、マッサージ装置を介して１つ以上の身体部分をマッサージできるようになった。マッサージ装置は、ユーザの首および／または腰背中をマッサージするための、部分および全身マッサージ椅子を含む。マッサージ装置の中には、太腿の１つ以上の部分などの脚の上部をユーザがマッサージできるようにするものもある。
【０００３】
簡単な要約
現行マッサージ装置は、１つ以上の機械的突起を介して圧力または力を１つ以上の身体部分に加えてマッサージ師またはマッサージ施術者（以下「マッサージ師」）の擦りおよび／または揉み行為をシミュレーションすることによって動作する。
【０００４】
本開示によれば、機械的突起を有する現行マッサージ装置は、ユーザの腰背中および／または首部分などのある身体部分には適切であり得る一方で、擦りおよび／または揉み行為のみをシミュレーションする機械的突起は、膝付近および／または膝下の身体の１つ以上の部分（たとえば、脹脛、足首、踵、足の甲の上部および／または下部部分、踵、爪先、および爪先付近の区域など。以下「下肢」と称する）を含むがそれらに限定されないある他の身体部分の十分なマッサージならびに／またはその張りおよび／もしくは痛みの軽減には好適でないおよび／またはそれを提供しないことがあると認識されている。特に、擦りおよび／または揉み行為のみをシミュレーションする従来の機械的突起は、下肢のツボなどのある圧点の、標的を定めたおよび／または焦点を絞った押圧には好適でないおよび／またはそれを提供しないことがある。
【発明の概要】
【課題を解決するための手段】
【０００５】
本例示実施形態は、概して、下肢マッサージシステムおよび装置、ならびに下肢マッサージシステムおよび装置を制御するための方法に関する。そのようなシステムおよび装置は、とりわけ、下肢のツボを含むある身体部分の標的を定めたマッサージを行ない得る。
【０００６】
例示的実施形態では、下肢マッサージシステムが記載される。システムは、主筐体と、複数の拡大可能部材と、１つ以上の突出部材とを含み得る。主筐体は、協働してもしくは隣接して位置決めされ、形成され、アンカー固定され、固着され、互いと連通し、および／または接続されて（もしくは接続されずに）Ｌ字状の内部空洞を形成する複数の部分を含み得る。主筐体を形成する部分は、管状部分と、細長部分と、角部とを含み得る。管状部分は、少なくとも、主筐体の一方端にある第１の端セクションと、左上壁と、左上壁とは反対の右上壁とを含み得る。細長部分は、少なくとも、主筐体の別の端にある第２の端セクションと、前方頂壁と、前方頂壁とは反対の前方底壁とを含み得る。角部は、管状部分と細長部分との間に形成され得る。角部は、少なくとも、左下壁と、左下壁とは反対の右下壁と、後方頂壁と、後方頂壁とは反対の後方底壁とを含み得る。複数の拡大可能部材は、第１の拡大可能部材と第２の拡大可能部材とを含み得る。第１の拡大可能部材は細長部分に設けられて第２の端セクションに近位の前方頂壁部分の少なくとも一部を形成し得る。第１の拡大可能部材は、細長部分の内部に向けて拡大するように構成可能であり得る。第２の拡大可能部材は、角部に設けられて後方頂壁部分の少なくとも一部を形成し得、第２の拡大可能部材は、角部の内部に向けて拡大するように構成可能である。複数の拡大可能部材は、第３の拡大可能部材、第４の拡大可能部材、第５の拡大可能部材、第６の拡大可能部材、第７の拡大可能部材、および第８の拡大可能部材も含み得る。第３の拡大可能部材は角部に設けられ得、左下壁の少なくとも一部を形成し得る。第４の拡大可能部材は管状部分に設けられ得、左上壁の少なくとも一部を形成し得る。第５の拡大可能部材は管状部分に設けられ得、左上壁の少なくとも一部を形成し得る。第６の拡大可能部材は角部に設けられ得、右下壁の少なくとも一部を形成し得る。第７の拡大可能部材は角部に設けられ得、右下壁の少なくとも一部を形成し得る。第８の拡大可能部材は管状部分に設けられ得、右上壁の少なくとも一部を形成し得る。１つ以上の突出部材について、１つ以上の突出部材は、底壁に接するように構成可能であり得る。１つ以上の突出部材は、少なくとも後方底壁の下に位置決め可能でありかつ少なくとも角部の内部に向けて突出するように作動可能であり得る。第２の拡大可能部材と１つ以上の突出部材とは、協働して、下肢部分の爪先部分と踵部分との間の足裏の少なくとも一部を加圧するように構成可能であり得る。１つ以上の突出部材は、第２の端セクションと角部の曲げセクションとの間に引いた線に垂直な軸の周りを回転するように構成可能であり得る。細長部分の内部に向けた１つ以上の突出部材の突出は、回転を介して制御可能であり得る。
【０００７】
また別の例示的実施形態では、下肢マッサージシステム（たとえば、上述の本開示のシステムのうち１つ以上）を制御するための処理システムが記載される。処理システムはプロセッサを含み得る。プロセッサは、主筐体（たとえば、細長部分および／または角部）の内部に向けて突出するように１つ以上の突出部材を動かす（たとえば、回転させる）ように構成可能であり得る。プロセッサは、拡大可能部材（たとえば、上述の本開示の第２の拡大可能部材）に徐々に増大する正圧（たとえば、気体および／または液体の挿入）を加えるようにさらに構成可能であり得る。プロセッサは、正圧が加えられている間、１つ以上の突出部材を第１の方向に第１の期間動かす（たとえば、回転させる）ようにさらに構成可能であり得る。プロセッサは、正圧が加えられている間、１つ以上の突出部材の動きを第２の期間停止させるようにさらに構成可能であり得る。プロセッサは、正圧が加えられている間、１つ以上の突出部材を第１の方向とは反対の第２の方向に第３の期間動かす（たとえば、回転させる）ようにさらに構成可能であり得る。プロセッサは、正圧が加えられている間、１つ以上の突出部材の動きを第４の期間停止させる（たとえば、回転を停止させる）ようにさらに構成可能であり得る。
【０００８】
本開示、例示実施形態、およびそれらの利点のより完璧な理解のため、添付の図面とともに以下の説明をここで参照する。図中の同様の参照番号は同様の特徴を示す。
【図面の簡単な説明】
【０００９】
【図１Ａ】下肢マッサージシステムの例示実施形態の斜視図である。
【図１Ｂ】左下肢マッサージシステムの例示実施形態の左側面図である。
【図１Ｃ】左下肢マッサージシステムの例示実施形態の右側面図である。
【図１Ｄ】下肢マッサージシステムの例示実施形態の正面図である。
【図２】左下肢マッサージシステムの例示実施形態の分解後側面図である。
【図３】第１の拡大可能部材および第２の拡大可能部材の例示実施形態の例示図である。
【図４】第３の拡大可能部材、第４の拡大可能部材、および第５の拡大可能部材の例示実施形態の例示図である。
【図５】第６の拡大可能部材、第７の拡大可能部材、および第８の拡大可能部材の例示実施形態の例示図である。
【図６Ａ】第１の突出部材、第２の突出部材、および第３の突出部材の例示実施形態の斜視図である。
【図６Ｂ】第１の突出部材、第２の突出部材、および第３の突出部材の例示実施形態の側面図である。
【図６Ｃ】第１の突出部材、第２の突出部材、および第３の突出部材の例示実施形態の側面図である。
【図７Ａ】下肢のツボの例示図である。
【図７Ｂ】下肢のツボの例示図である。
【図７Ｃ】下肢のツボの例示図である。
【図７Ｄ】下肢のツボの例示図である。
【図７Ｅ】下肢のツボの例示図である。
【図８】プロセッサを用いて下肢マッサージシステムを制御する例示実施形態の例示図である。
【発明を実施するための形態】
【００１０】
図中の同様の要素を参照するのに便宜上同様の参照番号を用い得るが、さまざまな例示実施形態の各々を別個の変形例として考え得ることを認めることができる。
【００１１】
添付の図面を参照して例示実施形態をここで説明する。これは本開示の一部を形成し、実践され得る例示実施形態を示す。本開示および添付の請求項で用いるように、「例」、「例示的」、「実施形態」、「例示実施形態」、「例示的実施形態」、および「本実施形態」という用語は、単一の実施形態を参照することはあるものの、必ずしも単一の実施形態を参照するわけではなく、さまざまな実施形態は、本開示の範囲、精神、または教示から逸脱することなく、容易に組合せおよび／または交換可能であり得る。さらに、本開示および添付の請求項で用いるような術語は、例示実施形態を説明する目的のためのみのものであり、限定を意図しない。この点で、本開示および添付の請求項で用いるように、「の中」という用語は、「の中」および「の上」を含み得、「ａ」、「an」、および「the」という用語は単数および複数の参照を含み得る。さらに、本開示および添付の請求項で用いるように、「によって」という用語は、文脈に依存して、「から」も意味し得る。さらに、本開示および添付の請求項で用いるように、「ならば」という用語は、文脈に依存して、「場合」または「際」も意味し得る。さらに、本開示および添付の請求項で用いるように、「および／または」という語は、関連付けられる列挙項目のうち１つ以上のありとあらゆる可能な組合せを参照しかつ包含し得る。
【００１２】
詳細な説明
本開示では、マッサージ技術の従来の手法により、ユーザは、マッサージ師を雇う必要なくマッサージを楽しむならびに／または筋肉の張りおよび／もしくは痛みを和らげることができるようになったと認識される。一般的に、そのようなマッサージ装置は、マッサージ師の擦りおよび／または揉み行為をシミュレーションするように、１つ以上の機械的突起を介して圧力および／または力（以下「圧力」）を加えることによって動作する。しかしながら、そのような従来のマッサージ装置は、ある身体部分には適切であり得るが、機械的突起のみでは下肢の１つ以上の部分などのある他の身体部分に対する十分なマッサージならびに／または張りおよび／もしくは痛みの軽減には好適でない、ならびに／またはこれを可能にしないもしくは提供しないことがある。
【００１３】
本例示実施形態は、概して、下肢マッサージシステムと、下肢マッサージシステムを制御するための方法とに関する。そのようなシステムは、とりわけ、下肢のツボを含むある身体部分の標的を定めたマッサージを行ない得る。添付の図面を参照してこれらのシステムおよびその要素を次に説明する。
【００１４】
システム（たとえば、システム１０）
図１Ａおよび図１Ｄは、それぞれ、ユーザの下肢マッサージを行なうためのシステム１０の例示実施形態の斜視図および正面図である。システム１０は、左サブシステム（たとえば、システム１０ａ）および／または右サブシステム（たとえば、システム１０ｂ）を含み得る。図は、システム１０を、左サブシステム１０ａと右サブシステム１０ｂとの両方を含むものとして示し得るが、システム１０は、本開示の教示から逸脱することなく、サブシステムを１つだけ（たとえば、システム１０ａまたは１０ｂ）を含み得ることも理解すべきである。
【００１５】
左サブシステム１０ａに関して、図１Ｂおよび図１Ｃはそれぞれ左側面図および右側面図を示す。左サブシステム１０ａの一部の例示実施形態の分解図または展開後面図が図２に示される。
【００１６】
図１Ａは、ユーザの左および／または右下肢がそれぞれ左および／または右サブシステム１０および／または１０ｂに挿入されている間ユーザが座れるような向きにされているシステム１０を示すが、システム１０の例示実施形態は、本開示の教示から逸脱することなく、システム１０を動作させる間にユーザが他の姿勢（たとえば、立位）を取れるようにもし得ることを理解すべきである。さらに、左サブシステム１０ａおよび／または右サブシステムは、本開示の教示から逸脱することなく、システム１０を動作させる間ユーザが横になれるように、図１Ａに示される姿勢から＋／−９０度または９０度超もしくは９０度未満の回転などの１つ以上の他の姿勢の向きにもされ得る。
【００１７】
システム１０は、システム１０の１つ以上の拡大可能要素の１つ以上の入力ポート（たとえば、開口、ポート、またはゲート）の中に向けて正圧を与えるための１つ以上の正圧源（図示せず）も含み得る。たとえば、正圧源は、（たとえば、拡大可能部材を拡大するために）システム１０の１つ以上の拡大可能部材の中に向けて気体および／もしくは液体を導入する、ならびに／または（たとえば、拡大可能部材の容積を縮小するもしくは低減するために）システム１０の１つ以上の拡大可能部材から気体および／もしくは液体を除去するための気体および／または液体ポンプを含み得る。ある例示実施形態では、本開示に記載されるシステム１０の拡大可能部材のうち１つ以上は、１つ以上の拡大可能部材の一部（たとえば、表面または接触部）に対する電流、温度（たとえば、熱および／または冷気）、磁界、気体、および／または水の印加（または非印加）を介してなど、他の方法で拡大する（または、容積を縮小するもしくは低減する）ように構成可能であり得る。
【００１８】
システム１０は、とりわけ、システム１０の１つ以上の要素を制御、管理、および／または動作させるように構成可能なまたは構成される１つ以上のプロセッサ、コントローラなど（図示せず）も含み得る。システム１０は、とりわけ、マッサージシーケンス、システム１０の１つ以上の要素によって行なわれるべき行為、システム１０の１つ以上の要素によって行なわれるべき（または行なわれない）行為のうち１つ以上の持続時間、ユーザプロファイルおよび嗜好、１回以上のユーザのマッサージの履歴、マッサージすべき下肢または他の身体部分のセクション、圧力を集中させるおよび／または加えるべきツボ、加圧量などを記憶するように構成可能な１つ以上のデータベース（図示せず）も含み得る。
【００１９】
添付の図面を参照して、これらおよび他の例示実施形態を次に説明する。
左サブシステム（たとえば、システム１０ａ）
少なくとも図１Ａ−図１Ｄおよび図２Ａに示されるように、システム１０は左サブシステム１０ａを備え得る。左サブシステム１０ａは、左サブシステム１０ａの主筐体を介して左下肢を受けるように構成可能であり得るまたは構成され得る。たとえば、主筐体および／または主筐体によって形成される内部空洞は、靴、ブーツ、下肢、および／またはＬ字状体もしくはその一部の外側および／または内側に類似し得る。左サブシステム１０ａは、下肢の足、足首、および／または脹脛の一部を受けるように構成可能であり得るまたは構成され得る。ある例示実施形態では、左サブシステム１０ａの主筐体および右サブシステム１０ｂの主筐体は、単一の主筐体として考えられ得、参照され得、および／または形成され得、その場合、単一の主筐体は、別個の主筐体に分離可能であるかもしくは分離され得もしくは分離され得ず、ならびに／または別個の主筐体を有するものとして明確に区別され得るもしくは区別され得ない。例示実施形態では、左サブシステム１０ａは右サブシステム１０ｂの鏡像である。したがって、ある要素および／または上述の本開示の左サブシステム１０ａの要素の機能性の任意の説明は、右サブシステム１０ｂのある要素および／または対応の要素の機能性にも等しくまたは実質的に当てはまる。
【００２０】
左サブシステム１０ａは主筐体１０ａを備え得、主筐体は、細長部分（たとえば、細長部分１００）と、管状部分（たとえば、管状部分１２０）と、隣接して位置決めされ、配置され、形成され、アンカー固定され、固着され、互いと連通し、および／または接続されてＬ字状の内部空洞を形成する角部（たとえば、角部１１０）とを含む。左サブシステム１０ａは、１つ以上の拡大可能部材（たとえば、第１の拡大可能部材１０２、第２の拡大可能部材１０４、第３の拡大可能部材１１２、第４の拡大可能部材１２４、第５の拡大可能部材１２２、第６の拡大可能部材１３２、第７の拡大可能部材１３４、第８の拡大可能部材１４２、および／または他の拡大可能部材（図示せず））も含み得る。左サブシステム１０ａは、１つ以上の第１の突出部材（たとえば、第１の突出部材３０２）、１つ以上の第２の突出部材（たとえば、第２の突出部材３２２）、１つ以上の第３の突出部材（たとえば、第３の突出部材３１２）、１つ以上の他の突出部材（図示せず）、および／または１つ以上の正圧源も備え得る。添付の図面を参照して、左サブシステム１０ａのこれらの要素を次に説明する。
【００２１】
細長部分（たとえば、細長部分１００）
例示実施形態では、左サブシステム１０ａは細長部分１００を含み得る。細長部分１００は、端セクション（たとえば、第２の端セクション１０１）と、頂壁部分（たとえば、前方頂壁部分１０３）と、底壁部分（たとえば、前方底壁部分１０５）とを含み得る。細長部分１００は側壁も含み得る。少なくとも図１Ａおよび図１Ｂに示されるように、第２の端セクション１０１は、下肢が細長部分１００に挿入されると少なくとも下肢の爪先部分（すなわち、足の爪先）を収容するように構成可能であり得るまたは構成され得る。
【００２２】
例示実施形態では、細長部分１００は、後方頂壁部分（たとえば、後方頂壁部分１１３）、後方底壁部分（たとえば、後方底壁部分１１５および／もしくは１１７）、左下壁部分（たとえば、左下壁部分１１０ａ）、ならびに／または右下壁部分（たとえば、右下壁部分１１０ｂ）のうちいくつかまたはすべても含み得る。
【００２３】
角部（たとえば、角部１１０）
左サブシステム１０ａは角部１１０も含み得る。角部１１０は、曲げセクションと、頂壁部分（たとえば、後方頂壁部分１１３）と、底壁部分（たとえば、後方底壁部分１１５および／または１１７）と、左壁部分（たとえば、左下壁部分１１０ａ）と、右壁部分（たとえば、右下壁部分１１０ｂ）とを含み得る。少なくとも図１Ａに示されるように、曲げ部分は、下肢が角部１１０に挿入されると下肢の少なくとも踵部分を収容するように構成可能であり得るまたは構成され得る。
【００２４】
例示実施形態では、角部１１０の１つ以上の部分は、細長部分１００の一部として参照され得るおよび／または考えられ得る。たとえば、頂壁部分１１３の一部またはすべては、細長部分１００の一部として参照され得るおよび／または考えられ得る。さらに、底壁部分１１５および／または１１７の一部またはすべては、細長部分１００の一部として参照され得るおよび／または考えられ得る。
【００２５】
例示実施形態では、角部１１０のある他の部分は、管状部分１２０の一部として参照され得るおよび／または考えられ得る。たとえば、左壁部分１１０ａの一部またはすべては、管状部分１２０の一部として参照され得るおよび／または考えられ得る。さらに、右壁部分１１０ｂの一部またはすべては、管状部分１２０の一部として参照され得るおよび／または考えられ得る。
【００２６】
管状部分（たとえば、管状部分１２０）
左サブシステム１０ａは、管状部分１２０も含み得る。管状部分１２０は、端セクション（たとえば、第１の端セクション１２１）と、左壁部分（たとえば、左上壁部分１２０ａ）と、右壁部分（たとえば、右上壁部分１２０ｂ）とを含み得る。少なくとも図１Ａに示されるように、端セクション（たとえば、第１の端セクション１２１）は、下肢が管状部分１２０に挿入されると下肢の少なくとも脹脛部分を収容するように構成可能であり得るまたは構成され得る。
【００２７】
例示実施形態では、管状部分１２０は、後方底壁部分１１５および／もしくは１１７、左下壁部分１１０ａ、ならびに／または右下壁部分１１０ｂのうち一部またはすべても含み得る。
【００２８】
拡大可能部材（たとえば、拡大可能部材１０２、１０４、１１２、１２２、１２４、１３２、１３４、１４２）
左サブシステム１０ａは、１つ以上の拡大可能部材（たとえば、第１の拡大可能部材１０２、第２の拡大可能部材１０４、第３の拡大可能部際１１２、第４の拡大可能部材１２４、第５の拡大可能部材１２２、第６の拡大可能部材１３２、第７の拡大可能部材１３４、第８の拡大可能部材１４２、および／または他の拡大可能部材（図示せず））も含み得る。各々の拡大可能部材は、正圧（たとえば、空気、流体など）が拡大可能部材の内部に存在しない、導入されていない、または導入中でないなどの通常の状態では実質的にぺしゃんこ、平ら、または縮んでおり、正圧（たとえば、空気、流体など）が拡大可能部材の内部に存在する、導入されている、または導入中であるなどの拡大しているまたは拡大された状態では、体積、厚み、突出、凸凹、構造、および／または大きさにおいて拡大可能であり得る袋、嚢などに類似し得る。
【００２９】
各々の拡大可能部材は、１つ以上の形状および大きさに形成され得、かつ１つ以上の材料からなる１つ以上の壁または膜を有し得る。たとえば、各々の拡大可能部材の壁のうち１つ以上は、ＴＰＵ（熱可塑性ポリウレタン）などの任意の形態の可塑性材料を含み得る。
【００３０】
（ｉ）  第１の拡大可能部材１０２
例示実施形態では、左サブシステム１０ａは、第２の端セクション１０１の中に、これに近接して、またはこれに隣接して、第１の拡大可能部材１０２を含み得る。たとえば、第１の拡大可能部材１０２は、下肢の爪先部分の上および／または下肢の爪先部分に隣接する足の一部の上にあるように位置決め可能であり得るまたは位置決めされ得る。第１の拡大可能部材１０２は、前方頂壁部分１０３の少なくとも一部を形成し得る。たとえば、第１の拡大可能部材１０２は、前方頂壁部分１０３の内側面の一部を形成し得る。別の例として、第１の拡大可能部材１０２は、前方頂壁部分１０３内に埋込まれ得る。この例では、前方頂壁部分１０３は、下肢に接するための可撓性内側層および外側層を含み得、（可撓性内側層と外側層との間に位置決めされる）第１の拡大可能部材１０２は、第１の拡大可能部材１０２が拡大されたまたは拡大しているときに細長部分１００の内部に向けてそのような可撓性内側層を押し得るまたは付勢し得る。また別の例では、第１の拡大可能部材１０２は、前方頂壁部分１０３の外側面の一部を形成し得る。
【００３１】
第１の拡大可能部材１０２は、細長部分１００の内部に向けて拡大するように構成可能であり得るまたは構成され得る。たとえば、第１の拡大可能部材１０２は、正圧源から第１の拡大可能部材１０２の内部への正圧（たとえば、空気、流体など）の負荷を受けるための入力ポート（たとえば、図３に示される第１の入力ポート１０２ａ）を含み得る。プロセッサ（図示せず）は、正圧源による、第１の拡大可能部材１０２中での正圧の負荷（および／または正圧の除去もしくは負圧の導入）の量、速度、および／または持続時間を制御するように構成可能であり得または構成され得、そのような正圧は、他の拡大可能部材（たとえば、拡大可能部材１０４、１１２、１２２、１２４、１３２、１３４、および／または１４２、ならびにシステム１０ｂの拡大可能部材のうち１つ以上）のうち１つ以上とは独立しておよび／またはそれとともに制御され得る。
【００３２】
例示実施形態では、第１の拡大可能部材１０２の１つ以上のセクションは、下肢の１つ以上の特定の区域に対する（たとえば、１つ以上のツボにおける）より標的を定めたまたは焦点を絞った加圧を提供するように、他のセクションよりも多く（または少なく）意図的に拡大するように構成可能であり得るまたは構成され得る。たとえば、第１の拡大可能部材１０２に加えられる正圧は、少なくとも図７Ａおよび図７Ｃに示されるような内庭ツボ７０２および／または侠谿ツボ７０４などの１つ以上のツボを加圧するような態様で第１の拡大可能部材１０２を拡大するように選択的に制御可能であり得る。加えてまたは代わりに、第１の拡大可能部材１０２の１つ以上のセクションは、内庭ツボ７０２および／または侠谿ツボ７０４などの下肢の１つ以上の特定の区域に対して（たとえば、１つ以上のツボにおいて）より標的を定めたまたは焦点を絞った加圧を提供するように１つ以上の突起、凸凹などを含むように構成可能であり得るまたは構成され得る。
【００３３】
第１の拡大可能部材１０２は、複数の形状、大きさ、および構成のうち１つ以上として形成され得る。たとえば、図３に示されるように、第１の拡大可能部材１０２は、（拡大されたおよび／または拡大されていない場合に）実質的に台形状体を含み得る。拡大されたまたは拡大中である場合に、第１の拡大可能部材１０２の形状、大きさ、および構成が内庭ツボ７０２および／または侠谿ツボ７０４などの１つ以上のツボに対する加圧を提供する限り、本開示の教示から逸脱することなく、第１の拡大可能部材１０２の他の形状も企図される。たとえば、第１の拡大可能部材１０２は、実質的に三角形状、実質的に矩形状、実質的に六角形状、半円形状、半楕円形状、Ｔ字状、これらまたは他の形状のうち１つ以上の組合せなどであり得る。
【００３４】
（ii）  第２の拡大可能部材１０４
例示実施形態では、左サブシステム１０ａは第２の拡大可能部材１０４を含み得る。第２の拡大可能部材１０４は、第１の拡大可能部材１０２に隣接しておよび／または足の甲（または真ん中セクション）の上に位置決め可能であり得るまたは位置決めされ得る。第２の拡大可能部材１０４は、後方頂壁部分１１３の少なくとも一部を形成し得る。たとえば、第２の拡大可能部材１０４は、後方頂壁部分１１３の内側面の一部を形成し得る。別の例として、第２の拡大可能部材１０４は、後方頂壁部分１１３内に埋込まれ得る。この例では、後方頂壁部分１１３は、下肢に接するための可撓性内側層および外側層を含み得、（可撓性内側層と外側層との間に位置決めされる）第２の拡大可能部材１０４は、第２の拡大可能部材１０４が拡大されたまたは拡大しているときに角部１１０の内部に向けてそのような可撓性内側層を押し得るまたは付勢し得る。また別の例では、第２の拡大可能部材１０４は、後方頂壁部分１１３の外側面の一部を形成し得る。
【００３５】
第２の拡大可能部材１０４は、角部１１０の内部に向けて拡大するように構成可能であり得るまたは構成され得る。たとえば、第２の拡大可能部材１０４は、正圧源から第２の拡大可能部材１０４の内側への正圧（たとえば、空気、流体など）の負荷を受けるための入力ポート（たとえば、図３に示される第２の入力ポート１０４ａ）を含み得る。プロセッサ（図示せず）は、正圧源による、第２の拡大可能部材１０４中での正圧の負荷（および／または正圧の除去もしくは負圧の導入）の量、速度、および／または持続時間を制御するように構成可能であり得または構成され得、そのような正圧は、他の拡大可能部材（たとえば、拡大可能部材１０２、１１２、１２２、１２４、１３２、１３４、および／または１４２、ならびにシステム１０ｂの拡大可能部材のうち１つ以上）のうち１つ以上とは独立しておよび／またはそれとともに制御され得る。
【００３６】
例示実施形態では、第２の拡大可能部材１０４の１つ以上のセクションは、下肢の１つ以上の特定の区域に対する（たとえば、１つ以上のツボにおける）より標的を定めたまたは焦点を絞った加圧を提供するように、他のセクションよりも多く（または少なく）意図的に拡大するように構成可能であり得るまたは構成され得る。たとえば、第２の拡大可能部材１０４に加えられる正圧は、少なくとも図７Ａおよび図７Ｃに示されるように、衝陽ツボ７０６および／または解谿ツボ７０８などの１つ以上のツボを加圧するような態様で第２の拡大可能部材１０４を拡大するように選択的に制御可能であり得る。加えてまたは代わりに、第２の拡大可能部材１０４の１つ以上のセクションは、衝陽ツボ７０６および／または解谿ツボ７０８などの下肢の１つ以上の特定の区域に対する（たとえば、１つ以上のツボにおける）より標的を定めたまたは焦点を絞った加圧を提供するように１つ以上の突起、凸凹などを含むように構成可能であり得るまたは構成され得る。
【００３７】
第２の拡大可能部材１０４は、複数の形状、大きさ、および構成のうち１つ以上として形成され得る。たとえば、図３に示されるように、第２の拡大可能部材１０４は、（拡大されたおよび／または拡大されない場合に）実質的に六角形状体を含み得る。拡大されたまたは拡大中である場合に、第２の拡大可能部材１０４の形状、大きさ、および構成が衝陽ツボ７０６および／または解谿ツボ７０８などの１つ以上のツボに対する加圧を提供する限り、本開示の教示から逸脱することなく、第２の拡大可能部材１０４の他の形状も企図される。たとえば、第２の拡大可能部材１０４は、実質的に三角形状、方形状、実質的に矩形状、実質的に六角形状、円形状、楕円形状、これらまたは他の形状のうち１つ以上の組合せなどであり得る。
【００３８】
（iii）  第３の拡大可能部材１１２
例示実施形態では、左サブシステム１０ａは第３の拡大可能部材１１２を含み得る。第３の拡大可能部材１１２は、足の踵と足首との間の下肢の少なくとも一部を覆うように位置決め可能であり得または位置決めされ得、踵の一部および／または足首の上の部分も覆い得る。第３の拡大可能部材１１２は、左下壁部分１１０ａの少なくとも一部を形成し得る。たとえば、第３の拡大可能部材１１２は、左下壁部分１１０ａの内側面の一部を形成し得る。別の例として、第３の拡大可能部材１１２は、左下壁部分１１０ａ内に埋込まれ得る。この例では、左下壁部分１１０ａは、下肢に接するための可撓性内側層と外側層とを含み得、（可撓性内側層と外側層との間に位置決めされる）第３の拡大可能部材１１２は、第３の拡大可能部材１１２が拡大されたまたは拡大しているときに角部１１０の内部に向けてそのような可撓性内側層を押し得るまたは付勢し得る。また別の例では、第３の拡大可能部材１１２は、左下壁部分１１０ａの外側面の一部を形成し得る。
【００３９】
第３の拡大可能部材１１２は、角部１１０の内部に向けて拡大するように構成可能であり得るまたは構成され得る。たとえば、第３の拡大可能部材１１２は、正圧源から第３の拡大可能部材１１２の内部への正圧（たとえば、空気、流体など）の負荷を受けるための入力ポート（たとえば、図４に示される第３の入力ポート１１２ａ）を含み得る。プロセッサ（図示せず）は、正圧源による、第３の拡大可能部材１１２中での正圧の負荷（および／または正圧の除去もしくは負圧の導入）の量、速度、および／または持続時間を制御するように構成可能であり得または構成され得、そのような正圧は、他の拡大可能部材（たとえば、拡大可能部材１０２、１０４、１２２、１２４、１３２、１３４、および／または１４２、ならびにシステム１０ｂの拡大可能部材のうち１つ以上）のうち１つ以上とは独立しておよび／またはそれとともに制御され得る。
【００４０】
例示実施形態では、第３の拡大可能部材１１２の１つ以上のセクションは、下肢の１つ以上の特定の区域に対する（たとえば、１つ以上のツボにおける）より標的を定めたまたは焦点を絞った加圧を提供するように、他のセクションよりも多く（または少なく）意図的に拡大するように構成可能であり得るまたは構成され得る。たとえば、第３の拡大可能部材１１２に加えられる正圧は、少なくとも図７Ａに示されるような僕参ツボ７１０、申脈ツボ７１２、および／または金門ツボ７１４などの１つ以上のツボを加圧するような態様で第３の拡大可能部材１１２を拡大するように選択的に制御可能であり得る。加えてまたは代わりに、第３の拡大可能部材１１２の１つ以上のセクションは、僕参ツボ７１０、申脈ツボ７１２、および／または金門ツボ７１４などの下肢の１つ以上の特定の区域に対する（たとえば、１つ以上のツボにおける）より標的を定めたまたは焦点を絞った加圧を提供するように１つ以上の突起、凸凹などを含むように構成可能であり得るまたは構成され得る。
【００４１】
第３の拡大可能部材１１２は、複数の形状、大きさ、および構成のうち１つ以上として形成され得る。たとえば、図４に示されるように、第３の拡大可能部材１１２は、（拡大されたおよび／または拡大されない場合に）実質的にＬ字状体を含み得る。拡大されたまたは拡大中である場合に、第３の拡大可能部材１１２の形状、大きさ、および構成が、僕参ツボ７１０、申脈ツボ７１２、および／または金門ツボ７１４などの１つ以上のツボに対する加圧を提供する限り、本開示の教示から逸脱することなく、第３の拡大可能部材１１２の他の形状も企図される。たとえば、第３の拡大可能部材１１２は、実質的に三角形状、方形状、実質的に矩形状、実質的に六角形状、円形状、楕円形状、これらまたは他の形状のうち１つ以上の組合せなどであり得る。
【００４２】
（iv）  第４の拡大可能部材１２４
例示実施形態では、左サブシステム１０ａは第４の拡大可能部材１２４を含み得る。第４の拡大可能部材１２４は、少なくとも脹脛の一部を覆うように位置決め可能であり得るまたは位置決めされ得る。第４の拡大可能部材１２４は、左壁部分１２０ａの少なくとも一部を形成し得る。たとえば、第４の拡大可能部材１２４は、左上壁部分１２０ａの内側面の一部を形成し得る。別の例として、第４の拡大可能部材１２４は、左上壁部分１２０ａ内に埋込まれ得る。この例では、左上壁部分１２０ａは、下肢に接するための可撓性内側層と外側層とを含み得、（可撓性内側層と外側層との間に位置決めされる）第４の拡大可能部材１２４は、第４の拡大可能部材１２４が拡大されたまたは拡大しているときに管状部分１２０の内部に向けてそのような可撓性内側層を押し得るまたは付勢し得る。また別の例では、第４の拡大可能部材１２４は、左上壁部分１２０ａの外側面の一部を形成し得る。
【００４３】
第４の拡大可能部材１２４は、管状部分１２０の内部に向けて拡大するように構成可能であり得るまたは構成され得る。たとえば、第４の拡大可能部材１２４は、正圧源から第４の拡大可能部材１２４の内部に向けて正圧（たとえば、空気、流体など）の負荷を受けるための入力ポート（たとえば、図４に示される第４の入力ポート１２４ａ）を含み得る。プロセッサ（図示せず）は、正圧源による、第４の拡大可能部材１２４中での正圧の負荷（および／または正圧の除去もしくは負圧の導入）の量、速度、および／または持続時間を制御するように構成可能であり得または構成され得、そのような正圧は、他の拡大可能部材（たとえば、拡大可能部材１０２、１０４、１１２、１２２、１３２、１３４、および／または１４２、ならびにシステム１０ｂの拡大可能部材のうち１つ以上）のうち１つ以上とは独立しておよび／またはそれとともに制御され得る。
【００４４】
例示実施形態では、第４の拡大可能部材１２４の１つ以上のセクションは、下肢の１つ以上の特定の区域に対する（たとえば、１つ以上のツボにおける）より標的を定めたまたは焦点を絞った加圧を提供するように他のセクションよりも多く（または少なく）意図的に拡大するように構成可能であり得るまたは構成され得る。たとえば、第４の拡大可能部材１２４に加えられる正圧は、少なくとも図７Ａおよび図７Ｄに示されるような飛陽ツボ７２０および／または外丘ツボ７２２などの１つ以上のツボを加圧するような態様で第４の拡大可能部材１２４を拡大するように選択的に制御可能であり得る。加えてまたは代わりに、第４の拡大可能部材１２４の１つ以上のセクションは、飛陽ツボ７２０および／または外丘ツボ７２２などの下肢の１つ以上の特定の区域に対する（たとえば、１つ以上のツボにおける）より標的を定めたまたは焦点を絞った加圧を提供するように１つ以上の突起、凸凹などを含むように構成可能であり得るまたは構成され得る。
【００４５】
第４の拡大可能部材１２４は、複数の形状、大きさ、および構成のうち１つ以上として形成され得る。たとえば、図４に示されるように、第４の拡大可能部材１２４は、（拡大されたおよび／または拡大されない場合に）実質的にＬ字状体を含み得る。拡大されたまたは拡大中である場合に、第４の拡大可能部材１２４の形状、大きさ、および構成が、飛陽ツボ７２０および／または外丘ツボ７２２などの１つ以上のツボに対する加圧を提供する限り、本開示の教示から逸脱することなく、第４の拡大可能部材１２４の他の形状も企図される。たとえば、第４の拡大可能部材１２４は、実質的に三角形状、方形状、実質的に矩形状、実質的に六角形状、円形状、楕円形状、これらまたは他の形状のうち１つ以上の組合せなどであり得る。
【００４６】
（ｖ）  第５の拡大可能部材１２２
例示実施形態では、左サブシステム１０ａは第５の拡大可能部材１２２を含み得る。第５の拡大可能部材１２２は、脹脛の少なくとも一部を覆うように位置決め可能であり得るまたは位置決めされ得る。第５の拡大可能部材１２２は、左上壁部分１２０ａの少なくとも一部を形成し得る。たとえば、第５の拡大可能部材１２２は、左上壁部分１２０ａの内側面の一部を形成し得る。別の例として、第５の拡大可能部材１２２は、左上壁部分１２０ａ内に埋込まれ得る。この例では、左上壁部分１２０ａは、下肢に接するための可撓性内側層と外側層とを含み得、（可撓性内側層と外側層との間に位置決めされる）第５の拡大可能部材１２２は、第５の拡大可能部材１２２が拡大されたまたは拡大しているときに管状部分１２０の内部に向けてそのような可撓性内側層を押し得るまたは付勢し得る。また別の例では、第５の拡大可能部材１２２は、左上壁部分の外側面の一部を形成し得る。
【００４７】
第５の拡大可能部材１２２は、管状部分１２０の内部に向けて拡大するように構成可能であり得るまたは構成され得る。たとえば、第５の拡大可能部材１２２は、正圧源から第５の拡大可能部材１２２の内部への正圧（たとえば、空気、流体など）の負荷を受けるための入力ポート（たとえば、図４に示される第５の入力ポート１２２ａ）を含み得る。プロセッサ（図示せず）は、正圧源による、第５の拡大可能部材１２２中での正圧の負荷（および／または正圧の除去もしくは負圧の導入）の量、速度、および／または持続時間を制御するように構成可能であり得または構成され得、そのような正圧は、他の拡大可能部材（たとえば、拡大可能部材１０２、１０４、１１２、１２４、１３２、１３４、および／または１４２、ならびにシステム１０ｂの拡大可能部材のうち１つ以上）のうち１つ以上とは独立しておよび／またはそれとともに制御され得る。
【００４８】
例示実施形態では、第５の拡大可能部材１２２の１つ以上のセクションは、下肢の１つ以上の特定の区域に対する（たとえば、１つ以上のツボにおける）より標的を定めたまたは焦点を絞った加圧を提供するように、他のセクションよりも多く（または少なく）意図的に拡大するように構成可能であり得るまたは構成され得る。たとえば、第５の拡大可能部材１２２に加えられる正圧は、少なくとも図７Ａおよび図７Ｃに示されるように、上巨虚ツボ７１６および／または豊隆ツボ７１８などの１つ以上のツボを加圧するような態様で第５の拡大可能部材１２２を拡大するように選択的に制御可能であり得る。加えてまたは代わりに、第５の拡大可能部材１２２の１つ以上のセクションは、上巨虚ツボ７１６および／または豊隆ツボ７１８などの下肢の１つ以上の特定の区域に対する（たとえば、１つ以上のツボにおける）より標的を定めたまたは焦点を絞った加圧を提供するように１つ以上の突起、凸凹などを含むように構成可能であり得るまたは構成され得る。
【００４９】
第５の拡大可能部材１２２は、複数の形状、大きさ、および構成のうち１つ以上として形成され得る。たとえば、図４に示されるように、第５の拡大可能部材１２２は、（拡大されたおよび／または拡大されない場合に）実質的にＬ字状体を含み得る。拡大されたまたは拡大中である場合に、第５の拡大可能部材１２２の形状、大きさ、および構成が、上巨虚ツボ７１６および／または豊隆ツボ７１８などの１つ以上のツボに対する加圧を提供する限り、本開示の教示から逸脱することなく、第５の拡大可能部材１２２の他の形状も企図される。たとえば、第５の拡大可能部材１２２は、実質的に三角形状、方形状、実質的に矩形状、実質的に六角形状、円形状、楕円形状、これらまたは他の形状のうち１つ以上の組合せなどであり得る。例示実施形態では、第４の拡大可能部材１２４および第５の拡大可能部材１２２は、第４の拡大可能部材１２４と第５の拡大可能部材１２２とを合わせた形状が四辺形に似るような態様で隣接して位置決めされ得る。これに代えてまたは加えて、第４の拡大可能部材１２４および第５の拡大可能部材１２２は、第４の拡大可能部材１２４と第５の拡大可能部材１２２とを合わせた形状が第８の拡大可能部材１４２の形状に似るような態様で隣接して位置決めされ得る。
【００５０】
（vi）  第６の拡大可能部材１３２
例示実施形態では、左サブシステム１０ａは第６の拡大可能部材１３２を含み得る。第６の拡大可能部材１３２は、足の踵と足首との間の下肢の少なくとも一部を覆うように位置決め可能であり得または位置決めされ得、踵の一部および／または足首の上の部分も覆い得る。第６の拡大可能部材１３２は、右下壁部分１１０ｂの少なくとも一部を形成し得る。たとえば、第６の拡大可能部材１３２は、右下壁部分１１０ｂの内側面の一部を形成し得る。別の例として、第６の拡大可能部材１３２は、右下壁部分１１０ｂ内に埋込まれ得る。この例では、右下壁部分１１０ｂは、下肢に接するための可撓性内側層と外側層とを含み得、（可撓性内側層と外側層との間に位置決めされる）第６の拡大可能部材１３２は、第６の拡大可能部材１３２が拡大されたまたは拡大しているときに角部１１０の内部に向けてそのような可撓性内側層を押し得るまたは付勢し得る。また別の例では、第６の拡大可能部材１３２は右下壁部分１１０ｂの外側面の一部を形成し得る。
【００５１】
第６の拡大可能部材１３２は、角部１１０の内部に向けて拡大するように構成可能であり得るまたは構成され得る。たとえば、第６の拡大可能部材１３２は、正圧源から第６の拡大可能部材１３２の内部への正圧（たとえば、空気、流体など）の負荷を受けるための入力ポート（たとえば、図５に示される第６の入力ポート１３２ａ）を含み得る。プロセッサ（図示せず）は、正圧源による、第６の拡大可能部材１３２中での正圧の負荷（および／または正圧の除去もしくは負圧の導入）の量、速度、および／または持続時間を制御するように構成可能であり得または構成され得、そのような正圧は、他の拡大可能部材（たとえば、拡大可能部材１０２、１０４、１１２、１２２、１２４、１３４、および／または１４２、ならびにシステム１０ｂの拡大可能部材のうち１つ以上）のうち１つ以上とは独立しておよび／またはそれとともに制御され得る。
【００５２】
例示実施形態では、第６の拡大可能部材１３２の１つ以上のセクションは、下肢の１つ以上の特定の区域に対する（たとえば、１つ以上のツボにおける）より標的を定めたまたは焦点を絞った加圧を提供するように他のセクションよりも多く（または少なく）意図的に拡大するように構成可能であり得るまたは構成され得る。たとえば、第６の拡大可能部材１３２に加えられる正圧は、少なくとも図７Ｂに示されるような水泉ツボ７２４および／または照海ツボ７２６などの１つ以上のツボを加圧するような態様で第６の拡大可能部材１３２を拡大するように選択的に制御可能であり得る。加えてまたは代わりに、第６の拡大可能部材１３２の１つ以上のセクションは、水泉ツボ７２４および／または照海ツボ７２６などの下肢の１つ以上の特定の区域に対する（たとえば、１つ以上のツボにおける）より標的を定めたまたは焦点を絞った加圧を提供するように１つ以上の突起、凸凹などを含むように構成可能であり得るまたは構成され得る。
【００５３】
第６の拡大可能部材１３２は、複数の形状、大きさ、および構成のうち１つ以上として形成され得る。たとえば、図５に示されるように、第６の拡大可能部材１３２は、（拡大されたおよび／または拡大されない場合に）実質的に四辺形状体を含み得る。拡大されたまたは拡大中である場合に、第６の拡大可能部材１３２の形状、大きさ、および構成が、水泉ツボ７２４および／または照海ツボ７２６などの１つ以上のツボに対する加圧を提供する限り、本開示の教示から逸脱することなく、第６の拡大可能部材１３２の他の形状も企図される。たとえば、第６の拡大可能部材１３２は、実質的に三角形状、方形状、実質的に矩形状、実質的に六角形状、円形状、楕円形状、これらまたは他の形状のうち１つ以上の組合せなどであり得る。
【００５４】
（vii）  第７の拡大可能部材１３４
例示実施形態では、左サブシステム１０ａは第７の拡大可能部材１３４を含み得る。第７の拡大可能部材１３４は、足首の一部および／または足首の上の部分を覆うように位置決め可能であり得るまたは位置決めされ得る。第７の拡大可能部材１３４は、右下壁部分１１０ｂの少なくとも一部を形成し得る。たとえば、第７の拡大可能部材１３４は、右下壁部分１１０ｂの内側面の一部を形成し得る。別の例として、第７の拡大可能部材１３４は、右下壁部分１１０ｂ内に埋込まれ得る。この例では、右下壁部分１１０ｂは、下肢に接するための可撓性内側層と外側層とを含み得、（可撓性内側層と外側層との間に位置決めされる）第７の拡大可能部材１３４は、第７の拡大可能部材１３４が拡大されたまたは拡大しているときに角部１１０の内部に向けてそのような可撓性内側層を押し得るまたは付勢し得る。また別の例では、第７の拡大可能部材１３４は、右下壁部分１１０ｂの外側面の一部を形成し得る。
【００５５】
第７の拡大可能部材１３４は、角部１１０の内部に向けて拡大するように構成可能であり得るまたは構成され得る。たとえば、第７の拡大可能部材１３４は、正圧源から第７の拡大可能部材１３４の内部への正圧（たとえば、空気、流体など）の負荷を受けるための入力ポート（たとえば、図５に示される第７の入力ポート１３４ａ）を含み得る。プロセッサ（図示せず）は、正圧源による、第７の拡大可能部材１３４中での正圧の負荷（および／または正圧の除去もしくは負圧の導入）の量、速度、および／または持続時間を制御するように構成可能であり得または構成され得、そのような正圧は、他の拡大可能部材（たとえば、拡大可能部材１０２、１０４、１１２、１２２、１２４、１３２、および／または１４２、ならびにシステム１０ｂの拡大可能部材のうち１つ以上）のうち１つ以上とは独立しておよび／またはそれとともに制御され得る。
【００５６】
例示実施形態では、第７の拡大可能部材１３４の１つ以上のセクションは、下肢の１つ以上の特定の区域に対する（たとえば、１つ以上のツボにおける）より標的を定めたまたは焦点を絞った加圧を提供するように他のセクションよりも多く（または少なく）意図的に拡大するように構成可能であり得るまたは構成され得る。たとえば、第７の拡大可能部材１３４に加えられる正圧は、少なくとも図７Ｂに示されるように、交信ツボ７２８および／または復溜ツボ７３０などの１つ以上のツボを加圧するような態様で第７の拡大可能部材１３４を拡大するように選択的に制御可能であり得る。加えてまたは代わりに、第７の拡大可能部材１３４の１つ以上のセクションは、交信ツボ７２８および／または復溜ツボ７３０などの下肢の１つ以上の特定の区域に対する（たとえば、１つ以上のツボにおける）より標的を定めたまたは焦点を絞った加圧を提供するように１つ以上の突起、凸凹などを含むように構成可能であり得るまたは構成され得る。
【００５７】
第７の拡大可能部材１３４は、複数の形状、大きさ、および構成のうち１つ以上として形成され得る。たとえば、図５に示されるように、第７の拡大可能部材１３４は、（拡大されたおよび／または拡大されない場合に）実質的に四辺形状体を含み得る。拡大されたまたは拡大中である場合に、第７の拡大可能部材１３４の形状、大きさ、および構成が、交信ツボ７２８および／または復溜ツボ７３０などの１つ以上のツボに対する加圧を提供する限り、本開示の教示から逸脱することなく、第７の拡大可能部材１３４の他の形状も企図される。たとえば、第７の拡大可能部材１３４は、実質的に三角形状、方形状、実質的に矩形状、実質的に六角形状、円形状、楕円形状、これらまたは他の形状のうち１つ以上の組合せなどであり得る。
【００５８】
（viii）  第８の拡大可能部材１４２
例示実施形態では、左サブシステム１０ａは第８の拡大可能部材１４２を含み得る。第８の拡大可能部材１４２は、脹脛の少なくとも一部を覆うように位置決め可能であり得るまたは位置決めされ得る。第８の拡大可能部材１４２は、右上壁部分１２０ｂの少なくとも一部を形成し得る。たとえば、第８の拡大可能部材１４２は、右上壁部分２１０ｂの内側面の一部を形成し得る。別の例として、第８の拡大可能部材１４２は、右上壁部分１２０ｂ内に埋込まれ得る。この例では、右上壁部分１２０ｂは、下肢に接するための可撓性内側層と外側層とを含み得、（可撓性内側層と外側層との間に位置決めされる）第８の拡大可能部材１４２は、第８の拡大可能部材１４２が拡大されたまたは拡大しているときに管状部分１２０の内部に向けてそのような可撓性内側層を押し得るまたは付勢し得る。また別の例では、第８の拡大可能部材１４２は、右上壁部分１２０ｂの外側面の一部を形成し得る。
【００５９】
第８の拡大可能部材１４２は、管状部分１２０の内部に向けて拡大するように構成可能であり得るまたは構成され得る。たとえば、第８の拡大可能部材１４２は、正圧源から第８の拡大可能部材１４２の内部への正圧（たとえば、空気、流体など）の負荷を受けるための入力ポート（たとえば、図５に示される第８の入力ポート１４２ａ）を含み得る。プロセッサ（図示せず）は、正圧源による、第８の拡大可能部材１４２中での正圧の負荷（および／または正圧の除去もしくは負圧の導入）の量、速度、および／または持続時間を制御するように構成可能であり得または構成され得、そのような正圧は、他の拡大可能部材（たとえば、拡大可能部材１０２、１０４、１１２、１２２、１２４、１３２、および／または１３４、ならびにシステム１０ｂの拡大可能部材のうち１つ以上）のうち１つ以上とは独立しておよび／またはそれとともに制御され得る。
【００６０】
例示実施形態では、第８の拡大可能部材１４２の１つ以上のセクションは、下肢の１つ以上の特定の区域に対する（たとえば、１つ以上のツボにおける）より標的を定めたまたは焦点を絞った加圧を提供するように他のセクションよりも多く（または少なく）意図的に拡大するように構成可能であり得るまたは構成され得る。たとえば、第８の拡大可能部材１４２に加えられる正圧は、少なくとも図７Ｂ−図７Ｄに示されるように、築賓ツボ７３２、漏谷ツボ７３４、および／または承山ツボ７３６などの１つ以上のツボを加圧するような態様で第８の拡大可能部材１４２を拡大するように選択的に制御可能であり得る。加えてまたは代わりに、第８の拡大可能部材１４２の１つ以上のセクションは、築賓ツボ７３２、漏谷ツボ７３４、および／または承山ツボ７３６などの下肢の１つ以上の特定の区域に対する（たとえば、１つ以上のツボにおける）より標的を定めたまたは焦点を絞った加圧を提供するように１つ以上の突起、凸凹などを含むように構成可能であり得るまたは構成され得る。
【００６１】
第８の拡大可能部材１４２は、複数の形状、大きさ、および構成のうち１つ以上として形成され得る。たとえば、図５に示されるように、第８の拡大可能部材１４２は、（拡大されたおよび／または拡大されない場合に）実質的に四辺形状体を含み得る。拡大されたまたは拡大中である場合に、第８の拡大可能部材１４２の形状、大きさ、および構成が、築賓ツボ７３２、漏谷ツボ７３４、および／または承山ツボ７３６などの１つ以上のツボに対する加圧を提供する限り、本開示の教示から逸脱することなく、第８の拡大可能部材１４２の他の形状も企図される。たとえば、第８の拡大可能部材１４２は、実質的に三角形状、方形状、実質的に矩形状、実質的に六角形状、円形状、楕円形状、これらまたは他の形状のうち１つ以上の組合せなどであり得る。
【００６２】
第１の突出部材（たとえば、第１の突出部材３０２）
図１Ｂ−図１Ｃ、図６Ａ、図６Ｂ、および図６Ｃに示されるように、左サブシステム１０ａは、第２の端セクション１０１に近位のまたは隣接する１つ以上の第１の突出部材（たとえば、第１の突出部材３０２）も含み得る。１つ以上の第１の突出部材（たとえば、第１の突出部材３０２）は、下肢の爪先部分の下および／または下肢の爪先部分に隣接する足の一部の下にくるように位置決め可能であり得るまたは位置決めされ得る。１つ以上の第１の突出部材３０２は、底壁部分１０５の少なくとも一部に接し得るまたはそれに接するように可動であり得る。
【００６３】
１つ以上の第１の突出部材３０２は、細長部分１００の内部に向けて突出するように構成可能であり得るまたは構成され得る。プロセッサ（図示せず）は、１つ以上の第１の突出部材３０２の動きを制御するように構成可能であり得または構成され得、そのような動きは、他の突出部材のうち１つ以上（たとえば、突出部材３１２および／または３２２）とは独立しておよび／またはそれとともに制御され得る。例示実施形態では、１つ以上の第１の突出部材３０２が加える圧力は、少なくとも図７Ｅに示されるように、裏内庭ツボ７３８などの１つ以上のツボを加圧するような態様で選択的に制御可能であり得る。
【００６４】
１つ以上の第１の突出部材３０２は、複数の形状、大きさ、および構成のうち１つ以上として形成され得る。たとえば、図６Ａ−図６Ｃに示されるように、１つ以上の第１の突出部材３０２は、丸められた端を有する実質的に細長体を含み得る。拡大されたまたは拡大中である場合に、１つ以上の第１の突出部材３０２の形状、大きさ、および構成が、裏内庭ツボ７３８などの１つ以上のツボに対する加圧を提供する限り、本開示の教示から逸脱することなく、１つ以上の第１の突出部材３０２の他の形状も企図される。
【００６５】
第２の突出部材（たとえば、第２の突出部材３２２）
図１Ｂ−図１Ｃおよび図６Ａ−図６Ｃに示されるように、左サブシステム１０ａは、角部１１０の曲げセクションに近位の１つ以上の第２の突出部材（たとえば、第２の突出部材３２２）も含み得る。１つ以上の第２の突出部材３２２は、下肢の踵部分の下にあるように位置決め可能であり得るまたは位置決めされ得る。１つ以上の第２の突出部材３２２は、底壁部分１１７の少なくとも一部に接し得るまたはそれに接するように可動であり得る。
【００６６】
１つ以上の第２の突出部材３２２は、角部１１０の内部に向けて突出するように構成可能であり得るまたは構成され得る。プロセッサ（図示せず）は、１つ以上の第２の突出部材３２２の動きを制御するように構成可能であり得または構成され得、そのような動きは、他の突出部材（たとえば、突出部材３２２および／または３１２）のうち１つ以上とは独立しておよび／またはそれとともに制御され得る。例示実施形態では、１つ以上の第２の突出部材３２２によって加えられる圧力は、少なくとも図７Ｅに示されるように、失眠ツボ７４０などの１つ以上のツボを加圧するような態様で選択的に制御可能であり得る。
【００６７】
１つ以上の第２の突出部材３２２は、複数の形状、大きさ、および構成のうち１つ以上として形成され得る。たとえば、図６Ａ−図６Ｃに示されるように、１つ以上の第２の突出部材３２２は、１つ以上の突起を有する実質的に細長体を含み得る。拡大されたまたは拡大中である場合に、１つ以上の第２の突出部材３２２の形状、大きさ、および構成が、失眠ツボ７４０などの１つ以上のツボに対する加圧を提供する限り、本開示の教示から逸脱することなく、１つ以上の第２の突出部材３２２の他の形状も企図される。
【００６８】
第３の突出部材（たとえば、第３の突出部材３１２）
図１Ｂ−図１Ｃおよび図６Ａ−図６Ｃに示されるように、左サブシステム１０ａは、１つ以上の第１の突出部材３０２と１つ以上の第２の突出部材３２２との間に１つ以上の第３の突出部材（たとえば、第３の突出部材３１２）も含み得る。１つ以上の第３の突出部材３１２は、底壁部分１１５の少なくとも一部に接し得るまたはこれに接するように可動であり得る。
【００６９】
１つ以上の第３の突出部材３１２は、角部１１０の内部に向けて突出するように構成可能であり得るまたは構成され得る。プロセッサ（図示せず）は、１つ以上の第３の突出部材３１２の動きを制御するように構成可能であり得または構成され得、そのような動きは、他の突出部材のうち１つ以上（たとえば、突出部材３０２および／または３２２）とは独立しておよび／またはそれとともに制御され得る。例示実施形態では、１つ以上の第３の突出部材３１２によって加えられる圧力は、少なくとも図７Ｅに示されるように、湧泉ツボ７４２などの１つ以上のツボを加圧するような態様で選択的に制御可能であり得る。
【００７０】
１つ以上の第３の突出部材３１２は、複数の形状、大きさ、および構成のうち１つ以上として形成され得る。たとえば、図６Ａ−図６Ｃに示されるように、１つ以上の第３の突出部材３１２は、軸（たとえば、図６Ａ−図６Ｃに示される軸Ｘ）または第２の端セクション１０１と角部１１０の曲げセクションとの間に引いた線軸（たとえば、図６Ａ−図６Ｃに示されるような軸Ｙ）に垂直な軸の周りで回転可能であり得る。拡大されたまたは拡大中である場合に、１つ以上の第３の突出部材３１２の形状、大きさ、および構成が、湧泉ツボ７４２などの１つ以上のツボに対する加圧を提供する限り、本開示の教示から逸脱することなく、１つ以上の第３の突出部材３１２の他の構成および／または形状も企図される。
【００７１】
プロセッサ
例示実施形態では、システム１０は、１つ以上のプロセッサ（図示せず）も備え得る。プロセッサは、単一のもしくは単体の要素および／または物理的に別個の要素であり得る。プロセッサは、情報の処理および／または他の予め定められた行為を行なうように構成可能な任意のプロセッサ、マイクロプロセッサ、コントローラ、マイクロコントローラ、マイクロチップ、移動体装置、半導体装置などであり得る。例示実施形態では、プロセッサによって処理されるまたは処理可能な情報は、システム１０、１０ａ、システム１０、１０ａの１つ以上の要素、および／またはシステム１０、１０ａのユーザのある動き（または動かないこと）を検出する、測定する、確認する、作動させるもしくは動かす、作動もしくは動きを防止するもしくは停止させる、制御する、および／または管理するための情報を含む任意の情報であり得る。非限定的例として、プロセッサによって処理されるまたは処理可能な情報は、拡大可能部材のうち１つ以上によっておよび／またはそれに対して行なわれる行為（または非行為）に属する情報を含み得る。別の非限定的例として、プロセッサによって処理されるまたは処理可能な情報は、突出部材のうち１つ以上によっておよび／またはそれに対して行なわれる行為（または非行為）に属する情報であり得る。別の非限定的例として、プロセッサによって処理されるまたは処理可能な情報は、１つ以上の正圧源の動作（または非動作）に属する情報であり得る。別の非限定的例として、プロセッサによって処理されるまたは処理可能な情報は、システム１０、１０ａの１つ以上の要素を作動させるもしくは動かす、作動もしくは動くのを防止する、制御する、および／または管理するのに用いられる１つ以上のセンサ（図示せず）に属する情報を含み得る。別の非限定的例として、プロセッサによって処理されるまたは処理可能な情報は、ユーザの下肢の少なくとも１つの部分に対して拡大可能部材のうち１つ以上によって加えられる圧力または力に属する情報を含み得る。別の非限定的例として、プロセッサによって処理されるまたは処理可能な情報は、システム１０、１０ａ、システム１０、１０ａの１つ以上の要素、および／またはシステム１０、１０ａのユーザの、単一の動きおよび／または動きのシーケンス（たとえばマッサージ行為のシーケンス）に属する情報を含み得る。
【００７２】
プロセッサは、行為の１つ以上のシーケンスを行なうように、独立してまたはともに左システム１０ａを駆動する、作動させる、制御する、および／または管理するように構成可能であり得るまたは構成され得る。そのような行為は、上述の本開示の左システム１０ａの要素のうち１つ以上を含み得（もしくは含み得ず）、付加的な要素を含み得、以下に記載する本開示の行為とは異なるシーケンス、行為、組合せ、および／もしくは構成で行なわれ得および／もしくは用いられ得、ならびに／または要素のうち１つ以上（および／もしくは要素のうちの複数の要素）は、単一の要素に組合せ可能であり得るもしくは２つ以上の要素に分割され得る。
【００７３】
例示実施形態では、プロセッサは、主筐体の内部に向けて突出する（たとえば、角部１１０の内部に向けて突出する）ように１つ以上の第３の突出部材３１２を回転させるように構成可能であり得るまたは構成され得る。たとえば、マッサージシーケンスの開始点は、１つ以上の第３の突出部材３１２がその最も高い位置に回転されるおよび位置決めされるとき（たとえば、図６Ｂに示されるように角部１１０中への最大の突出）であり得る。プロセッサは、１つ以上の正圧源に正圧を第２の拡大可能部材１０４に加えさせるようにさらに構成可能であり得るまたは構成され得る。たとえば、加えられる正圧は、徐々に増大する正圧（または徐々に減少する負圧）であり得る。プロセッサは、第１の方向（たとえば、時計回りまたは図６Ｂに示される方向Ａ）に第１の期間（たとえば、０．１から５秒の間、または好ましくは０．１から０．９秒の間）１つ以上の第３の突出部材３１２を回転させるようにさらに構成可能であり得るまたは構成され得る。たとえば、回転は、正圧が加えられている（および／または増大しているもしくは減少している）間行なわれ得る。プロセッサは、１つ以上の第３の突出部材３１２の回転を第２の期間（たとえば、０．１から５秒の間、または好ましくは０．２から０．８秒の間）停止させるようにさらに構成可能であり得るまたは構成され得る。たとえば、回転の停止は、正圧が加えられている（および／または増大しているもしくは減少している）間行なわれ得る。プロセッサは、１つ以上の第３の突出部材３１２を第１の方向とは反対の第２方向に第３の期間（たとえば、０．１から５秒の間、または好ましくは０．２から０．９秒の間）回転させるようにさらに構成可能であり得るまたは構成され得る。たとえば、回転は、正圧が加えられている（および／または増大しているもしくは減少している）間行なわれ得る。プロセッサは、１つ以上の第３の突出部材３１２の回転を第４の期間（たとえば、０．１から５秒の間、または好ましくは０．２から０．８秒の間）停止させるようにさらに構成可能であり得るまたは構成され得る。たとえば、回転の停止は、正圧が加えられている（および／または増大しているもしくは減少している）間行なわれ得る。プロセッサは、主筐体の内部に向けて突出する（たとえば、角部１１０の内部に向けて突出する）ように１つ以上の第１の突出部材３０２を動かすようにさらに構成可能であり得るまたは構成され得る。たとえば、第１の突出部材の動きは、正圧が加えられている（および／または増大しているもしくは減少している）間行なわれ得る。プロセッサは、主筐体の内部に向けて突出する（たとえば、角部１１０の内部に向けて突出する）ように１つ以上の第２の突出部材３２２を動かすようにさらに構成可能であり得るまたは構成され得る。たとえば、第２の突出部材の動きは、正圧が加えられている（および／または増大しているもしくは減少している）間行なわれ得る。プロセッサは、第１の拡大可能部材１０２に正圧を加えるようにさらに構成可能であり得るまたは構成され得る。たとえば、第１の拡大可能部材に加えられる正圧は、徐々に増大する正圧であり得る。さらに、第１の拡大可能部材への正圧の負荷は、正圧が加えられている（および／または増大しているもしくは減少している）間行なわれ得る。
【００７４】
上述の本開示の行為に関して、プロセッサは、湧泉ツボ７４２を含む１つ以上のツボを加圧するような態様で１つ以上の第３の突出部材３１２を協働して回転させかつ第２の拡大可能部材１０４および／または第１の拡大可能部材１０２を拡大するように構成可能であり得るまたは構成され得る。上述の本開示の行為のうち１つ以上の間に、行為同士の間に、またはその後に、プロセッサは、第３の拡大可能部材１１２、第４の拡大可能部材１２４、第５の拡大可能部材１２２、第６の拡大可能部材１３２、第７の拡大可能部材１３４、および／または第８の拡大可能部材１４２などの拡大可能部材のうち１つ以上を拡大するように構成可能であり得るまたは構成され得る。１つ以上の拡大可能部材のそのような拡大は、１つ以上の拡大可能部材に加えられる正圧を徐々に増大させることによって行なわれ得る。
【００７５】
例示実施形態では、プロセッサは、同じ順、逆の順、および／もしくは異なる順で、ならびに／または１つ以上の行為を追加もしくは省略して左システム１０ａの要素に対する行為を繰返すように構成可能であり得または構成され得、そのような繰返しは、１回から１０回の間または好ましくは２回から６回の間など何回か行なわれ得る。
【００７６】
開示される原則に従うさまざまな実施形態を上述したが、それらは例示のためにのみ提示され、限定的ではないことを理解すべきである。このように、本開示に記載される例示実施形態の広さおよび範囲は、上述の例示的実施形態のいずれによっても限定されるべきではなく、請求項およびこの開示から生じたその均等物に従ってのみ規定されるべきである。さらに、上記利点および特徴は、記載される実施形態において提供されるが、そのような生じた請求項の適用を上記利点のうち任意のものまたはすべてを達成するプロセスおよび構造に限定しない。
【００７７】
たとえば、本明細書中で参照するように、コントローラ、プロセッサ、および／または装置は、任意のコンピューティングデバイスまたは通信装置であり得、仮想マシン、コンピュータ、ノード、インスタンス、ホスト、またはネットワーク化されたコンピューティング環境におけるマシンを含み得る。
【図１Ａ】
2020509920.tif 000003
【図１Ｂ】
2020509920.tif 000004
【図１Ｃ】
2020509920.tif 000005
【図１Ｄ】
2020509920.tif 000006
【図２】
2020509920.tif 000007
【図３】
2020509920.tif 000008
【図４】
2020509920.tif 000009
【図５】
2020509920.tif 000010
【図６Ａ】
2020509920.tif 000011
【図６Ｂ】
2020509920.tif 000012
【図６Ｃ】
2020509920.tif 000013
【図７Ａ】
2020509920.tif 000014
【図７Ｂ】
2020509920.tif 000015
【図７Ｃ】
2020509920.tif 000016
【図７Ｄ】
2020509920.tif 000017
【図７Ｅ】
2020509920.tif 000018
【図８】
2020509920.tif 000019
【手続補正書】
【提出日】平成31年4月23日(2019.4.23)
【手続補正１】
【補正対象書類名】特許請求の範囲
【補正対象項目名】全文
【補正方法】変更
【補正の内容】
【特許請求の範囲】
【請求項１】
下肢マッサージシステムであって、足、足首、および下肢の上側部分を含む前記下肢を受けるための前記下肢マッサージシステムは、
下肢を受けかつ収容するための主筐体を備え、前記主筐体は、Ｌ字状の内部空洞を形成するように隣接して配置される複数の部分を有し、前記主筐体は、
前記下肢の上側部分を収容するための管状部分を含み、前記管状部分は、少なくとも、前記主筐体の近端にある第１の端セクションを有し、前記管状部分は、左上側壁と、前記左上側壁とは反対の右上側壁とによって形成され、前記第１の端セクションは前記下肢の挿入を許容するための開口を有し、前記主筐体はさらに、
前記足を収容するための細長部分を含み、前記細長部分は、少なくとも、前記主筐体の遠端にある第２の端セクションを有し、前記細長部分は、前方頂壁と、前記前方頂壁とは反対の前方底壁とによって形成され、前記主筐体はさらに、
前記管状部分と細長部分との間に形成される角部を含み、前記角部は、前記角部の近位部と遠位部とを分離する角セクションを有し、前記角部の前記近位部は、少なくとも、左下側壁と、前記左下側壁とは反対の右下側壁とを有し、前記角部の前記遠位部は、後方頂壁と前記後方頂壁とは反対の後方底壁とを有し、前記後方底壁は前記足の踵の少なくとも一部を受けるのに用いられ、前記下肢マッサージシステムはさらに、
複数の拡大可能部材を備え、前記複数の拡大可能部材は、
前記細長部分に設けられかつ前記第２の端セクションに近位の前記前方頂壁の少なくとも一部を形成する第１の拡大可能部材を含み、前記第１の拡大可能部材は、第１のセクションおよび第２のセクションを含む複数のセクションを有し、前記第１の拡大可能部材の前記複数のセクションの各々は、前記細長部分の内部に向けて拡大するように構成可能であり、前記第１の拡大可能部材の前記第１のセクションは、前記足が前記細長部分に収容されると前記足の内庭ツボに近位の前記第１の拡大可能部材の第１の場所に形成され、前記第１の拡大可能部材の前記第２のセクションは、前記足が前記細長部分に収容されると前記足の侠谿ツボに近位の前記第１の拡大可能部材の第２の場所に形成され、前記第１の拡大可能部材の前記第１のセクションは、より標的を定めた圧力を前記内庭ツボに意図的に加えるような態様で、前記第１の拡大可能部材の前記第１のセクションを囲む前記第１の拡大可能部材の少なくとも１つの他のセクションよりも多く意図的に拡大するように構成され、前記第１の拡大可能部材の前記第２のセクションは、より標的を定めた圧力を前記侠谿ツボに意図的に加えるような態様で、前記第１の拡大可能部材の前記第２のセクションを囲む前記第１の拡大可能部材の少なくとも１つの他のセクションよりも多く意図的に拡大するように構成され、前記複数の拡大可能部材はさらに、
前記角部に設けられかつ前記後方頂壁の少なくとも一部を形成する第２の拡大可能部材を含み、前記第２の拡大可能部材は、第１のセクションおよび第２のセクションを含む複数のセクションを有し、前記第２の拡大可能部材の前記複数のセクションの各々は前記角部の内部に向けて拡大するように構成可能であり、前記第２の拡大可能部材の前記第１のセクションは、前記足が前記角部に収容されると前記足の衝陽ツボに近位の前記第２の拡大可能部材の第１の場所に形成され、前記第２の拡大可能部材の前記第２のセクションは、前記足が前記角部に収容されると前記足の解谿ツボに近位の前記第２の拡大可能部材の第２の場所に形成され、前記第２の拡大可能部材の前記第１のセクションは、より標的を定めた圧力を前記衝陽ツボに意図的に加えるような態様で、前記第２の拡大可能部材の前記第１のセクションを囲む前記第２の拡大可能部材の少なくとも１つの他のセクションよりも多く意図的に拡大するように構成され、前記第２の拡大可能部材の前記第２のセクションは、より標的を定めた圧力を前記解谿ツボに意図的に加えるような態様で、前記第２の拡大可能部材の前記第２のセクションを囲む前記第２の拡大可能部材の少なくとも１つの他のセクションよりも多く意図的に拡大するように構成され、前記複数の拡大可能部材はさらに、
前記角部に設けられかつ前記左下側壁の少なくとも一部を形成する第３の拡大可能部材を含み、前記第３の拡大可能部材は、第１のセクション、第２のセクション、および第３のセクションを含む複数のセクションを有し、前記第３の拡大可能部材の前記複数のセクションの各々は前記角部の内部に向けて拡大するように構成可能であり、前記第３の拡大可能部材の前記第１のセクションは、前記足が前記角部に収容されると前記足の僕参ツボに近位の前記第３の拡大可能部材の第１の場所に形成され、前記第３の拡大可能部材の前記第２のセクションは、前記足が前記角部に収容されると前記足の申脈ツボに近位の前記第３の拡大可能部材の第２の場所に形成され、前記第３の拡大可能部材の前記第３のセクションは、前記足が前記角部に収容されると前記足の金門ツボに近位の前記第３の拡大可能部材の第３の場所に形成され、前記第３の拡大可能部材の前記第１のセクションは、より標的を定めた圧力を前記僕参ツボに意図的に加えるような態様で、前記第３の拡大可能部材の前記第１のセクションを囲む前記第３の拡大可能部材の少なくとも１つの他のセクションよりも多く意図的に拡大するように構成され、前記第３の拡大可能部材の前記第２のセクションは、より標的を定めた圧力を前記申脈ツボに意図的に加えるような態様で、前記第３の拡大可能部材の前記第２のセクションを囲む前記第３の拡大可能部材の少なくとも１つの他のセクションよりも多く意図的に拡大するように構成され、前記第３の拡大可能部材の前記第３のセクションは、より標的を定めた圧力を前記金門ツボに意図的に加えるような態様で、前記第３の拡大可能部材の前記第３のセクションを囲む前記第３の拡大可能部材の少なくとも１つの他のセクションよりも多く意図的に拡大するように構成され、前記複数の拡大可能部材はさらに、
前記管状部分に設けられかつ前記左上側壁の少なくとも一部を形成する第４の拡大可能部材を含み、前記第４の拡大可能部材は、第１のセクションおよび第２のセクションを含む複数のセクションを有し、前記第４の拡大可能部材の前記複数のセクションの各々は前記管状部分の内部に向けて拡大するように構成可能であり、前記第４の拡大可能部材の前記第１のセクションは、前記下肢が前記管状部分に収容されると前記下肢の飛陽ツボに近位の前記第４の拡大可能部材の第１の場所に形成され、前記第４の拡大可能部材の前記第２のセクションは、前記下肢が前記管状部分に収容されると前記下肢の外丘ツボに近位の前記第４の拡大可能部材の第２の場所に形成され、前記第４の拡大可能部材の前記第１のセクションは、より標的を定めた圧力を前記飛陽ツボに意図的に加えるような態様で、前記第４の拡大可能部材の前記第１のセクションを囲む前記第４の拡大可能部材の少なくとも１つの他のセクションよりも多く意図的に拡大するように構成され、前記第４の拡大可能部材の前記第２のセクションは、より標的を定めた圧力を前記外丘ツボに意図的に加えるような態様で、前記第４の拡大可能部材の前記第２のセクションを囲む前記第４の拡大可能部材の少なくとも１つの他のセクションよりも多く意図的に拡大するように構成され、前記複数の拡大可能部材はさらに、
前記管状部分に設けられかつ前記左上側壁の少なくとも一部を形成する第５の拡大可能部材を含み、前記第５の拡大可能部材は、第１のセクションおよび第２のセクションを含む複数のセクションを有し、前記第５の拡大可能部材の前記複数のセクションの各々は前記管状部分の内部に向けて拡大するように構成可能であり、前記第５の拡大可能部材の前記第１のセクションは、前記下肢が前記管状部分に収容されると前記下肢の上巨虚ツボに近位の前記第５の拡大可能部材の第１の場所に形成され、前記第５の拡大可能部材の前記第２のセクションは、前記下肢が前記管状部分に収容されると前記下肢の豊隆ツボに近位の前記第５の拡大可能部材の第２の場所に形成され、前記第５の拡大可能部材の前記第１のセクションは、より標的を定めた圧力を前記上巨虚ツボに意図的に加えるような態様で、前記第５の拡大可能部材の前記第１のセクションを囲む前記第５の拡大可能部材の少なくとも１つの他のセクションよりも多く意図的に拡大するように構成され、前記第５の拡大可能部材の前記第２のセクションは、より標的を定めた圧力を前記豊隆ツボに意図的に加えるような態様で、前記第５の拡大可能部材の前記第２のセクションを囲む前記第５の拡大可能部材の少なくとも１つの他のセクションよりも多く意図的に拡大するように構成され、前記複数の拡大可能部材はさらに、
前記角部に設けられかつ前記右下側壁の少なくとも一部を形成する第６の拡大可能部材を含み、前記第６の拡大可能部材は、第１のセクションおよび第２のセクションを含む複数のセクションを有し、前記第６の拡大可能部材の前記複数のセクションの各々は前記角部の内部に向けて拡大するように構成可能であり、前記第６の拡大可能部材の前記第１のセクションは、前記下肢が前記角部に収容されると前記下肢の一部の水泉ツボに近位の前記第６の拡大可能部材の第１の場所に形成され、前記第６の拡大可能部材の前記第２のセクションは、前記下肢が前記角部に収容されると前記下肢の照海ツボに近位の前記第６の拡大可能部材の第２の場所に形成され、前記第６の拡大可能部材の前記第１のセクションは、より標的を定めた圧力を前記水泉ツボに意図的に加えるような態様で、前記第６の拡大可能部材の前記第１のセクションを囲む前記第６の拡大可能部材の少なくとも１つの他のセクションよりも多く意図的に拡大するように構成され、前記第６の拡大可能部材の前記第２のセクションは、より標的を定めた圧力を前記照海ツボに意図的に加えるような態様で、前記第６の拡大可能部材の前記第２のセクションを囲む前記第６の拡大可能部材の少なくとも１つの他のセクションよりも多く意図的に拡大するように構成され、前記複数の拡大可能部材はさらに、
前記角部に設けられかつ前記右下側壁の少なくとも一部を形成する第７の拡大可能部材を含み、前記第７の拡大可能部材は、第１のセクションおよび第２のセクションを含む複数のセクションを有し、前記第７の拡大可能部材の前記複数のセクションの各々は前記角部の内部に向けて拡大するように構成可能であり、前記第７の拡大可能部材の前記第１のセクションは、前記下肢が前記角部に収容されると前記下肢の前記一部の交信ツボに近位の前記第７の拡大可能部材の第１の場所に形成され、前記第７の拡大可能部材の前記第２のセクションは、前記下肢が前記角部に収容されると前記下肢の復溜ツボに近位の前記第７の拡大可能部材の第２の場所に形成され、前記第７の拡大可能部材の前記第１のセクションは、より標的を定めた圧力を前記交信ツボに意図的に加えるような態様で、前記第７の拡大可能部材の前記第１のセクションを囲む前記第７の拡大可能部材の少なくとも１つの他のセクションよりも多く意図的に拡大するように構成され、前記第７の拡大可能部材の前記第２のセクションは、より標的を定めた圧力を前記交信ツボに意図的に加えるような態様で、前記第７の拡大可能部材の前記第２のセクションを囲む前記第７の拡大可能部材の少なくとも１つの他のセクションよりも多く意図的に拡大するように構成され、前記複数の拡大可能部材はさらに、
前記管状部分に設けられかつ前記右上側壁の少なくとも一部を形成する第８の拡大可能部材を備え、前記第８の拡大可能部材は、第１のセクション、第２のセクション、および第３のセクションを含む複数のセクションを有し、前記第８の拡大可能部材の前記複数のセクションの各々は前記管状部分の内部に向けて拡大するように構成可能であり、前記第８の拡大可能部材の前記第１のセクションは、前記下肢が前記管状部分に収容されると前記下肢の築賓ツボに近位の前記第８の拡大可能部材の第１の場所に形成され、前記第８の拡大可能部材の前記第２のセクションは、前記下肢が前記管状部分に収容されると前記下肢の承山ツボに近位の前記第８の拡大可能部材の第２の場所に形成され、前記第８の拡大可能部材の前記第３のセクションは、前記下肢が前記管状部分に収容されると前記下肢の漏谷ツボに近位の前記第８の拡大可能部材の第３の場所に形成され、前記第８の拡大可能部材の前記第１のセクションは、より標的を定めた圧力を前記築賓ツボに意図的に加えるような態様で、前記第８の拡大可能部材の前記第１のセクションを囲む前記第８の拡大可能部材の少なくとも１つの他のセクションよりも多く意図的に拡大するように構成され、前記第８の拡大可能部材の前記第２のセクションは、より標的を定めた圧力を前記承山ツボに意図的に加えるような態様で、前記第８の拡大可能部材の前記第２のセクションを囲む前記第８の拡大可能部材の少なくとも１つの他のセクションよりも多く意図的に拡大するように構成され、前記第８の拡大可能部材の前記第３のセクションは、より標的を定めた圧力を前記漏谷ツボに意図的に加えるような態様で、前記第８の拡大可能部材の前記第３のセクションを囲む前記第８の拡大可能部材の少なくとも１つの他のセクションよりも多く意図的に拡大するように構成され、前記下肢マッサージシステムはさらに、
共通の軸から径方向に離れるように延在しかつ前記共通の軸の周りを回転するように構成可能な第１および第２の突出部材を備え、前記共通の軸は、前記細長部分の前記第２の端セクションと前記角部の前記角セクションとの間に引いた線に垂直な軸であり、前記第１および第２の突出部材は異なる方向を向くように構成され、前記第１および第２の突出部材は前記角部の前記後方底壁の少なくとも一部の下に位置決め可能であり、前記第１および第２の突出部材の各々は、前記角部の前記内部に向けて突出することと前記角部の前記内部に向けて突出しないこととの間が切換わるような態様で前記共通の軸に対して回転可能であり、前記角部が前記足を収容すると、前記第１および第２の突出部材の各々は前記共通の軸の周りの前記突出部材の回転を制御することによって前記足の裏に加えられる圧力の量を制御するように構成可能であり、前記第１および第２の突出部材の各々は、前記突出部材が最大位置まで回転すると前記足の裏に第１の最大圧力を加えるように構成可能であり、
前記第２の拡大可能部材と前記第１および第２の突出部材の各々とは、協働して、前記主筐体の前記角部の前記内部に向けて前記第２の拡大可能部材を拡大させかつ前記最大位置まで前記第１および第２の突出部材の各々を回転させることによって第２の最大圧力まで前記足の裏に徐々に増大する圧力を加えるように構成可能であり、前記第２の最大圧力は前記第１の最大圧力よりも大きい、下肢マッサージシステム。
【請求項２】
前記左下側壁、右下側壁、後方頂壁、および後方底壁は、前記左上側壁、右上側壁、前方頂壁、および前方底壁とそれぞれ連通する、請求項１に記載の下肢マッサージシステム。
【請求項３】
前記第１の拡大可能部材は第１の入力ポートを備え、前記第１の拡大可能部材は、前記第１の入力ポートを介して正圧が加えられると前記細長部分の前記内部に向けて拡大するように構成可能であり、
前記第２の拡大可能部材は第２の入力ポートを備え、前記第２の拡大可能部材は、前記第２の入力ポートを介して正圧が加えられると前記角部の前記内部に向けて拡大するように構成可能である、請求項１に記載の下肢マッサージシステム。
【請求項４】
下肢が前記主筐体に挿入された際、前記第１の端セクションは前記下肢の少なくとも脹脛部分を収容するように構成可能であり、前記第２の端セクションは前記下肢の少なくとも爪先部分を収容するように構成可能であり、かつ前記角部は前記下肢の少なくとも足首および踵部分を収容するように構成可能である、請求項１に記載の下肢マッサージシステム。
【請求項５】
前記第３の拡大可能部材は実質的にＬ字状体を含むこと、
前記第４の拡大可能部材は実質的にＬ字状体を含むこと、
前記第５の拡大可能部材は実質的にＬ字状体を含むこと、
前記第６の拡大可能部材は実質的に四辺形状体を含むこと、
前記第７の拡大可能部材は実質的に四辺形状体を含むこと、
前記第８の拡大可能部材は実質的に四辺形状体を含むこと、
前記第４の拡大可能部材および第５の拡大可能部材は、前記第４の拡大可能部材と第５の拡大可能部材とを合わせた形状が四辺形に似るような態様で隣接して位置決めされること、
前記第４の拡大可能部材および第５の拡大可能部材は、前記第４の拡大可能部材と前記第５の拡大可能部材とを合わせた前記形状が前記第８の拡大可能部材の形状に似るような態様で隣接して位置決めされること、
前記第６の拡大可能部材および第７の拡大可能部材は、前記第６の拡大可能部材と第７の拡大可能部材とを合わせた前記形状がＬ字に似るような態様で隣接して位置決めされること、ならびに／または
前記第６の拡大可能部材および第７の拡大可能部材は、前記第６の拡大可能部材と第７の拡大可能部材とを合わせた前記形状が前記第３の拡大可能部材の形状に似るような態様で隣接して位置決めされること、
のうち１つ以上が当てはまる、請求項１に記載の下肢マッサージシステム。
【請求項６】
前記第１の拡大可能部材は実質的に台形状体を含むこと、
前記第２の拡大可能部材は実質的に六角形状体を含むこと、ならびに／または
前記第１の拡大可能部材および第２の拡大可能部材は、前記第１の拡大可能部材の少なくとも一部が前記第２の拡大可能部材に隣接しかつ前記第１の拡大可能部材が前記第２の端セクションと前記第２の拡大可能部材との間に位置決めされるような態様で位置決めされること、
のうち１つ以上が当てはまる、請求項１に記載の下肢マッサージシステム。
【請求項７】
前記拡大可能部材のうち１つ以上に正圧を与えるように動作可能な１つ以上の正圧源をさらに備える、請求項１に記載の下肢マッサージシステム。
【請求項８】
前記拡大可能部材のうち１つ以上は独立して拡大可能である、請求項１に記載の下肢マッサージシステム。
【請求項９】
前記第１の拡大可能部材に加えられる前記正圧は、前記細長部分の前記内部に向けた前記第１の拡大可能部材の拡大を制御するように選択的に制御可能であること、
前記第２の拡大可能部材に加えられる前記正圧は、前記角部の前記内部に向けた前記第２の拡大可能部材の拡大を制御するように選択的に制御可能であること、
前記第３の拡大可能部材に加えられる前記正圧は、前記角部の前記内部に向けた前記第３の拡大可能部材の拡大を制御するように選択的に制御可能であること、
前記第４の拡大可能部材に加えられる前記正圧は、前記管状部分の前記内部に向けた前記第４の拡大可能部材の拡大を制御するように選択的に制御可能であること、
前記第５の拡大可能部材に加えられる前記正圧は、前記管状部分の前記内部に向けた前記第５の拡大可能部材の拡大を制御するように選択的に制御可能であること、
前記第６の拡大可能部材に加えられる前記正圧は、前記角部の前記内部に向けた前記第６の拡大可能部材の拡大を制御するように選択的に制御可能であること、
前記第７の拡大可能部材に加えられる前記正圧は、前記角部の前記内部に向けた前記第７の拡大可能部材の拡大を制御するように選択的に制御可能であること、および
前記第８の拡大可能部材に加えられる前記正圧は、前記管状部分の前記内部に向けた前記第８の拡大可能部材の拡大を制御するように選択的に制御可能であること、
のうち１つ以上が当てはまる、請求項１に記載の下肢マッサージシステム。
【請求項１０】
前記下肢マッサージシステムは、前記前方底壁に接するように構成可能な１つ以上の第３の突出部材をさらに備え、前記１つ以上の第３の突出部材は前記第２の端セクションに近位でありかつ前記細長部分の前記内部に向けて突出するように作動可能であり、前記下肢マッサージシステムはさらに
前記後方底壁に接するように構成可能な１つ以上の第４の突出部材を備え、前記１つ以上の第４の突出部材は前記角部の曲げセクションに近位でありかつ前記角部の前記内部に向けて突出するように作動可能であり、
前記第１の拡大可能部材および１つ以上の前記第１の突出部材は、協働して、裏内庭ツボを含む前記下肢の前記爪先部分に近位の前記足の裏の少なくとも一部を加圧するように構成可能であり、
１つ以上の前記第２の突出部材は、失眠ツボを含む前記足の少なくとも踵部分を加圧するように構成可能であり、
前記第２の拡大可能部材および前記１つ以上の第３の突出部材は、協働して湧泉ツボを加圧するように構成可能である、請求項１に記載の下肢マッサージシステム。
【請求項１１】
請求項１に記載の前記下肢マッサージシステムを制御するための処理システムであって、
プロセッサを備え、前記プロセッサは、
前記１つ以上の突出部材を回転させて前記主筐体の前記内部に向けて突出させ、
徐々に増大する正圧を前記第２の拡大可能部材に加え、
前記正圧が加えられている間、前記１つ以上の突出部材を第１の方向に第１の期間回転させ、
前記正圧が加えられている間、前記１つ以上の突出部材の回転を第２の期間停止させ、
前記正圧が加えられている間、前記１つ以上の突出部材を前記第１の方向とは反対の第２の方向に第３の期間回転させ、かつ
前記正圧が加えられている間、前記１つ以上の突出部材の回転を第４の期間停止させる、
ように構成可能である、処理システム。
【請求項１２】
前記プロセッサは、
前記１つ以上の第２の突出部材を作動させて前記主筐体の前記内部に向けて突出させ、
前記１つ以上の第３の突出部材を作動させて前記主筐体の前記内部に向けて突出させ、かつ
徐々に増大する正圧を前記第１の拡大可能部材に加える、
ように構成可能である、請求項１１に記載の処理システム。
【請求項１３】
前記プロセッサは、湧泉ツボを含む１つ以上のツボを加圧するような態様で、前記１つ以上の突出部材を協働して回転させかつ前記第２の拡大可能部材および／または第１の拡大可能部材を拡大させるように構成可能である、請求項１１に記載の処理システム。
【請求項１４】
前記プロセッサは前記動作を繰返すように構成可能である、請求項１１に記載の処理システム。
【請求項１５】
前記第１の方向は時計回り方向であること、
前記第１の期間は約０．１から５秒の間であること、
前記第２の期間は約０．１から５秒の間であること、
前記第３の期間は約０．１から５秒の間であること、および／または
前記第４の期間は約０．１から５秒の間であること、
のうち１つ以上が当てはまる、請求項１１に記載の処理システム。
【請求項１６】
前記第１の方向は時計回り方向であること、
前記第１の期間は約０．１から０．９秒の間であること、
前記第２の期間は約０．２から０．８秒の間であること、
前記第３の期間は約０．２から０．９秒の間であること、および／または
前記第４の期間は約０．２から０．８秒の間であること、
のうち１つ以上が当てはまる、請求項１１に記載の処理システム。
【請求項１７】
下肢マッサージシステムであって、足、足首、および下肢の上側部分を含む前記下肢を受けるための前記下肢マッサージシステムは、
下肢を受けるように構成可能な主筐体を備え、前記主筐体は、少なくとも、前記主筐体の第１の端にある第１の端セクションと、主筐体の別の端にある第２の端セクションと、左側壁と、前記左側壁とは反対の右側壁とを含み、前記下肢マッサージシステムはさらに
複数の拡大可能部材を備え、前記複数の拡大可能部材は、
前記第１の端セクションに近位の前記左側壁の少なくとも一部を形成する第１の左拡大可能部材を含み、前記第１の左拡大可能部材は第１の入力ポートを有しかつ前記第１の入力ポートを介して正圧が加えられると前記主筐体の内部に向けて拡大するように構成可能であり、前記複数の拡大可能部材はさらに
前記第１の端セクションに近位の前記左側壁の少なくとも一部を形成する第２の左拡大可能部材を含み、前記第２の左拡大可能部材は第２の入力ポートを有しかつ前記第２の入力ポートを介して正圧が加えられると前記主筐体の前記内部に向けて拡大するように構成可能であり、前記複数の拡大可能部材はさらに
前記第１の端セクションに近位の前記右側壁の少なくとも一部を形成する第１の右拡大可能部材を含み、前記第１の右拡大可能部材は第３の入力ポートを有しかつ前記第３の入力ポートを介して正圧が加えられると前記主筐体の前記内部に向けて拡大するように構成可能であり、
前記第１の左拡大可能部材は実質的にＬ字状体を含み、前記第２の左拡大可能部材は実質的にＬ字状体を含み、前記下肢マッサージシステムはさらに
共通の軸から径方向に離れるように延在しかつ前記共通の軸の周りを回転するように構成可能な第１および第２の突出部材を備え、前記共通の軸は、前記Ｌ字状体の細長部分の前記第２の端セクションと前記Ｌ字状体の角部の角セクションとの間に引いた線に垂直な軸であり、前記第１および第２の突出部材は異なる方向を向くように構成され、前記第１および第２の突出部材は、前記足の踵の少なくとも一部を受けるのに用いるための前記Ｌ字状体の前記角部の後方底壁の少なくとも一部の下に位置決め可能であり、前記第１および第２の突出部材の各々は、前記角部の前記内部に向けて突出し、また前記角部の前記内部に向けて突出しないように前記共通の軸に対して回転可能であり、前記第１および第２の突出部材の各々は前記共通の軸の周りの前記突出部材の回転を制御することによって前記足の裏に加えられる圧力の量を制御するように構成可能であり、前記第１および第２の突出部材の各々は、前記突出部材が最大位置まで回転すると前記足の裏に第１の最大圧力を加えるように構成可能であり、
前記第２の拡大可能部材と前記第１および第２の突出部材の各々とは、協働して、前記角部の前記内部に向けて前記第２の拡大可能部材を拡大させかつ前記最大位置まで前記第１および第２の突出部材の各々を回転させることによって第２の最大圧力まで前記足の裏に徐々に増大する圧力を加えるように構成可能であり、前記第２の最大圧力は前記第１の最大圧力よりも大きい、下肢マッサージシステム。
【請求項１８】
前記第１の左拡大可能部材、第２の左拡大可能部材、および第１の右拡大可能部材の各々は、互いとは独立して拡大するように構成可能であり、
下肢が前記主筐体に挿入されると、
前記第１の左拡大可能部材は、飛陽ツボおよび／または外丘ツボを含む前記下肢の脹脛の第１の部分を加圧するような態様で拡大するように構成可能であり、
前記第２の左拡大可能部材は、上巨虚ツボおよび／または豊隆ツボを含む前記下肢の前記脹脛の第２の部分を加圧するような態様で拡大するように構成可能であり、かつ
前記第１の右拡大可能部材は、築賓ツボ、承山ツボ、および／または漏谷ツボを含む前記下肢の前記脹脛の第３の部分を加圧するような態様で拡大するように構成可能である、請求項１７に記載の下肢マッサージシステム。
【請求項１９】
前記下肢マッサージシステムは、前記第２の端セクションに近位の前記左側壁の少なくとも一部を形成する第３の左拡大可能部材をさらに備え、前記第３の左拡大可能部材は第４の入力ポートを有しかつ前記第４の入力ポートを介して正圧が加えられると前記主筐体の前記内部に向けて拡大するように構成可能であり、前記下肢マッサージシステムはさらに
前記第２の端セクションに近位の前記右側壁の少なくとも一部を形成する第２の右拡大可能部材を備え、前記第２の右拡大可能部材は第５の入力ポートを有しかつ前記第５の入力ポートを介して正圧が加えられると前記主筐体の前記内部に向けて拡大するように構成可能であり、前記下肢マッサージシステムはさらに
前記第１の右拡大可能部材と第２の右拡大可能部材との間に前記右壁の少なくとも一部を形成する第３の右拡大可能部材を備え、前記第３の右拡大可能部材は第６の入力ポートを有しかつ前記第６の入力ポートを介して正圧が加えられると前記主筐体の前記内部に向けて拡大するように構成可能であり、
前記第３の左拡大可能部材は実質的にＬ字状体を含み、
前記第２の右拡大可能部材および第３の右拡大可能部材は合わさって実質的にＬ字状体を形成する、請求項１７に記載の下肢マッサージシステム。
【請求項２０】
前記拡大可能部材のうち１つ以上に正圧を与えるように動作可能な１つ以上の正圧源をさらに備える、請求項１７に記載の下肢マッサージシステム。
【請求項２１】
前記拡大可能部材のうち１つ以上は独立して拡大可能である、請求項１７に記載の下肢マッサージシステム。
【請求項２２】
前記拡大可能部材のうち１つ以上に加えられる前記正圧は、前記１つ以上の拡大可能部材の拡大を制御するように選択的に制御可能である、請求項１７に記載の下肢マッサージシステム。
【請求項２３】
前記第３の左拡大可能部材は、僕参ツボ、申脈ツボ、および／もしくは金門ツボを含む１つ以上のツボを加圧するような態様で拡大するように構成可能であること、
前記第２の右拡大可能部材は、水泉ツボおよび／もしくは照海ツボを含む１つ以上のツボを加圧するような態様で拡大するように構成可能であること、ならびに／または
前記第３の右拡大可能部材は、交信ツボおよび／もしくは復溜ツボを含む１つ以上のツボを加圧するような態様で拡大するように構成可能であること、
のうち１つ以上が当てはまる、請求項１９に記載の下肢マッサージシステム。
【手続補正書】
【提出日】令和1年11月14日(2019.11.14)
【手続補正１】
【補正対象書類名】特許請求の範囲
【補正対象項目名】全文
【補正方法】変更
【補正の内容】
【特許請求の範囲】
【請求項１】
下肢マッサージシステムであって、足、足首、および下肢の上側部分を含む前記下肢を受けるための前記下肢マッサージシステムは、
下肢を受けかつ収容するための主筐体を備え、前記主筐体は、Ｌ字状の内部空洞を形成するように隣接して配置される複数の部分を有し、前記主筐体は、
前記下肢の上側部分を収容するための管状部分を含み、前記管状部分は、少なくとも、前記主筐体の近端にある第１の端セクションを有し、前記管状部分は、左上側壁と、前記左上側壁とは反対の右上側壁とによって形成され、前記第１の端セクションは前記下肢の挿入を許容するための開口を有し、前記主筐体はさらに、
前記足を収容するための細長部分を含み、前記細長部分は、少なくとも、前記主筐体の遠端にある第２の端セクションを有し、前記細長部分は、前方頂壁と、前記前方頂壁とは反対の前方底壁とによって形成され、前記主筐体はさらに、
前記管状部分と細長部分との間に形成される角部を含み、前記角部は、前記角部の近位部と遠位部とを分離する角セクションを有し、前記角部の前記近位部は、少なくとも、左下側壁と、前記左下側壁とは反対の右下側壁とを有し、前記角部の前記遠位部は、後方頂壁と前記後方頂壁とは反対の後方底壁とを有し、前記後方底壁は前記足の踵の少なくとも一部を受けるのに用いられ、前記下肢マッサージシステムはさらに、
複数の拡大可能部材を備え、前記複数の拡大可能部材は、
前記細長部分に設けられかつ前記第２の端セクションに近位の前記前方頂壁の少なくとも一部を形成する第１の拡大可能部材を含み、前記第１の拡大可能部材は、第１のセクションおよび第２のセクションを含む複数のセクションを有し、前記第１の拡大可能部材の前記複数のセクションの各々は、前記細長部分の内部に向けて拡大するように構成可能であり、前記第１の拡大可能部材の前記第１のセクションは、前記足が前記細長部分に収容されると前記足の内庭ツボに近位の前記第１の拡大可能部材の第１の場所に形成され、前記第１の拡大可能部材の前記第２のセクションは、前記足が前記細長部分に収容されると前記足の侠谿ツボに近位の前記第１の拡大可能部材の第２の場所に形成され、前記第１の拡大可能部材の前記第１のセクションは、より標的を定めた圧力を前記内庭ツボに意図的に加えるような態様で、前記第１の拡大可能部材の前記第１のセクションを囲む前記第１の拡大可能部材の少なくとも１つの他のセクションよりも多く意図的に拡大するように構成され、前記第１の拡大可能部材の前記第２のセクションは、より標的を定めた圧力を前記侠谿ツボに意図的に加えるような態様で、前記第１の拡大可能部材の前記第２のセクションを囲む前記第１の拡大可能部材の少なくとも１つの他のセクションよりも多く意図的に拡大するように構成され、前記複数の拡大可能部材はさらに、
前記角部に設けられかつ前記後方頂壁の少なくとも一部を形成する第２の拡大可能部材を含み、前記第２の拡大可能部材は、第１のセクションおよび第２のセクションを含む複数のセクションを有し、前記第２の拡大可能部材の前記複数のセクションの各々は前記角部の内部に向けて拡大するように構成可能であり、前記第２の拡大可能部材の前記第１のセクションは、前記足が前記角部に収容されると前記足の衝陽ツボに近位の前記第２の拡大可能部材の第１の場所に形成され、前記第２の拡大可能部材の前記第２のセクションは、前記足が前記角部に収容されると前記足の解谿ツボに近位の前記第２の拡大可能部材の第２の場所に形成され、前記第２の拡大可能部材の前記第１のセクションは、より標的を定めた圧力を前記衝陽ツボに意図的に加えるような態様で、前記第２の拡大可能部材の前記第１のセクションを囲む前記第２の拡大可能部材の少なくとも１つの他のセクションよりも多く意図的に拡大するように構成され、前記第２の拡大可能部材の前記第２のセクションは、より標的を定めた圧力を前記解谿ツボに意図的に加えるような態様で、前記第２の拡大可能部材の前記第２のセクションを囲む前記第２の拡大可能部材の少なくとも１つの他のセクションよりも多く意図的に拡大するように構成され、前記複数の拡大可能部材はさらに、
前記角部に設けられかつ前記左下側壁の少なくとも一部を形成する第３の拡大可能部材を含み、前記第３の拡大可能部材は、第１のセクション、第２のセクション、および第３のセクションを含む複数のセクションを有し、前記第３の拡大可能部材の前記複数のセクションの各々は前記角部の内部に向けて拡大するように構成可能であり、前記第３の拡大可能部材の前記第１のセクションは、前記足が前記角部に収容されると前記足の僕参ツボに近位の前記第３の拡大可能部材の第１の場所に形成され、前記第３の拡大可能部材の前記第２のセクションは、前記足が前記角部に収容されると前記足の申脈ツボに近位の前記第３の拡大可能部材の第２の場所に形成され、前記第３の拡大可能部材の前記第３のセクションは、前記足が前記角部に収容されると前記足の金門ツボに近位の前記第３の拡大可能部材の第３の場所に形成され、前記第３の拡大可能部材の前記第１のセクションは、より標的を定めた圧力を前記僕参ツボに意図的に加えるような態様で、前記第３の拡大可能部材の前記第１のセクションを囲む前記第３の拡大可能部材の少なくとも１つの他のセクションよりも多く意図的に拡大するように構成され、前記第３の拡大可能部材の前記第２のセクションは、より標的を定めた圧力を前記申脈ツボに意図的に加えるような態様で、前記第３の拡大可能部材の前記第２のセクションを囲む前記第３の拡大可能部材の少なくとも１つの他のセクションよりも多く意図的に拡大するように構成され、前記第３の拡大可能部材の前記第３のセクションは、より標的を定めた圧力を前記金門ツボに意図的に加えるような態様で、前記第３の拡大可能部材の前記第３のセクションを囲む前記第３の拡大可能部材の少なくとも１つの他のセクションよりも多く意図的に拡大するように構成され、前記複数の拡大可能部材はさらに、
前記管状部分に設けられかつ前記左上側壁の少なくとも一部を形成する第４の拡大可能部材を含み、前記第４の拡大可能部材は、第１のセクションおよび第２のセクションを含む複数のセクションを有し、前記第４の拡大可能部材の前記複数のセクションの各々は前記管状部分の内部に向けて拡大するように構成可能であり、前記第４の拡大可能部材の前記第１のセクションは、前記下肢が前記管状部分に収容されると前記下肢の飛陽ツボに近位の前記第４の拡大可能部材の第１の場所に形成され、前記第４の拡大可能部材の前記第２のセクションは、前記下肢が前記管状部分に収容されると前記下肢の外丘ツボに近位の前記第４の拡大可能部材の第２の場所に形成され、前記第４の拡大可能部材の前記第１のセクションは、より標的を定めた圧力を前記飛陽ツボに意図的に加えるような態様で、前記第４の拡大可能部材の前記第１のセクションを囲む前記第４の拡大可能部材の少なくとも１つの他のセクションよりも多く意図的に拡大するように構成され、前記第４の拡大可能部材の前記第２のセクションは、より標的を定めた圧力を前記外丘ツボに意図的に加えるような態様で、前記第４の拡大可能部材の前記第２のセクションを囲む前記第４の拡大可能部材の少なくとも１つの他のセクションよりも多く意図的に拡大するように構成され、前記複数の拡大可能部材はさらに、
前記管状部分に設けられかつ前記左上側壁の少なくとも一部を形成する第５の拡大可能部材を含み、前記第５の拡大可能部材は、第１のセクションおよび第２のセクションを含む複数のセクションを有し、前記第５の拡大可能部材の前記複数のセクションの各々は前記管状部分の内部に向けて拡大するように構成可能であり、前記第５の拡大可能部材の前記第１のセクションは、前記下肢が前記管状部分に収容されると前記下肢の上巨虚ツボに近位の前記第５の拡大可能部材の第１の場所に形成され、前記第５の拡大可能部材の前記第２のセクションは、前記下肢が前記管状部分に収容されると前記下肢の豊隆ツボに近位の前記第５の拡大可能部材の第２の場所に形成され、前記第５の拡大可能部材の前記第１のセクションは、より標的を定めた圧力を前記上巨虚ツボに意図的に加えるような態様で、前記第５の拡大可能部材の前記第１のセクションを囲む前記第５の拡大可能部材の少なくとも１つの他のセクションよりも多く意図的に拡大するように構成され、前記第５の拡大可能部材の前記第２のセクションは、より標的を定めた圧力を前記豊隆ツボに意図的に加えるような態様で、前記第５の拡大可能部材の前記第２のセクションを囲む前記第５の拡大可能部材の少なくとも１つの他のセクションよりも多く意図的に拡大するように構成され、前記複数の拡大可能部材はさらに、
前記角部に設けられかつ前記右下側壁の少なくとも一部を形成する第６の拡大可能部材を含み、前記第６の拡大可能部材は、第１のセクションおよび第２のセクションを含む複数のセクションを有し、前記第６の拡大可能部材の前記複数のセクションの各々は前記角部の内部に向けて拡大するように構成可能であり、前記第６の拡大可能部材の前記第１のセクションは、前記下肢が前記角部に収容されると前記下肢の一部の水泉ツボに近位の前記第６の拡大可能部材の第１の場所に形成され、前記第６の拡大可能部材の前記第２のセクションは、前記下肢が前記角部に収容されると前記下肢の照海ツボに近位の前記第６の拡大可能部材の第２の場所に形成され、前記第６の拡大可能部材の前記第１のセクションは、より標的を定めた圧力を前記水泉ツボに意図的に加えるような態様で、前記第６の拡大可能部材の前記第１のセクションを囲む前記第６の拡大可能部材の少なくとも１つの他のセクションよりも多く意図的に拡大するように構成され、前記第６の拡大可能部材の前記第２のセクションは、より標的を定めた圧力を前記照海ツボに意図的に加えるような態様で、前記第６の拡大可能部材の前記第２のセクションを囲む前記第６の拡大可能部材の少なくとも１つの他のセクションよりも多く意図的に拡大するように構成され、前記複数の拡大可能部材はさらに、
前記角部に設けられかつ前記右下側壁の少なくとも一部を形成する第７の拡大可能部材を含み、前記第７の拡大可能部材は、第１のセクションおよび第２のセクションを含む複数のセクションを有し、前記第７の拡大可能部材の前記複数のセクションの各々は前記角部の内部に向けて拡大するように構成可能であり、前記第７の拡大可能部材の前記第１のセクションは、前記下肢が前記角部に収容されると前記下肢の前記一部の交信ツボに近位の前記第７の拡大可能部材の第１の場所に形成され、前記第７の拡大可能部材の前記第２のセクションは、前記下肢が前記角部に収容されると前記下肢の復溜ツボに近位の前記第７の拡大可能部材の第２の場所に形成され、前記第７の拡大可能部材の前記第１のセクションは、より標的を定めた圧力を前記交信ツボに意図的に加えるような態様で、前記第７の拡大可能部材の前記第１のセクションを囲む前記第７の拡大可能部材の少なくとも１つの他のセクションよりも多く意図的に拡大するように構成され、前記第７の拡大可能部材の前記第２のセクションは、より標的を定めた圧力を前記交信ツボに意図的に加えるような態様で、前記第７の拡大可能部材の前記第２のセクションを囲む前記第７の拡大可能部材の少なくとも１つの他のセクションよりも多く意図的に拡大するように構成され、前記複数の拡大可能部材はさらに、
前記管状部分に設けられかつ前記右上側壁の少なくとも一部を形成する第８の拡大可能部材を備え、前記第８の拡大可能部材は、第１のセクション、第２のセクション、および第３のセクションを含む複数のセクションを有し、前記第８の拡大可能部材の前記複数のセクションの各々は前記管状部分の内部に向けて拡大するように構成可能であり、前記第８の拡大可能部材の前記第１のセクションは、前記下肢が前記管状部分に収容されると前記下肢の築賓ツボに近位の前記第８の拡大可能部材の第１の場所に形成され、前記第８の拡大可能部材の前記第２のセクションは、前記下肢が前記管状部分に収容されると前記下肢の承山ツボに近位の前記第８の拡大可能部材の第２の場所に形成され、前記第８の拡大可能部材の前記第３のセクションは、前記下肢が前記管状部分に収容されると前記下肢の漏谷ツボに近位の前記第８の拡大可能部材の第３の場所に形成され、前記第８の拡大可能部材の前記第１のセクションは、より標的を定めた圧力を前記築賓ツボに意図的に加えるような態様で、前記第８の拡大可能部材の前記第１のセクションを囲む前記第８の拡大可能部材の少なくとも１つの他のセクションよりも多く意図的に拡大するように構成され、前記第８の拡大可能部材の前記第２のセクションは、より標的を定めた圧力を前記承山ツボに意図的に加えるような態様で、前記第８の拡大可能部材の前記第２のセクションを囲む前記第８の拡大可能部材の少なくとも１つの他のセクションよりも多く意図的に拡大するように構成され、前記第８の拡大可能部材の前記第３のセクションは、より標的を定めた圧力を前記漏谷ツボに意図的に加えるような態様で、前記第８の拡大可能部材の前記第３のセクションを囲む前記第８の拡大可能部材の少なくとも１つの他のセクションよりも多く意図的に拡大するように構成され、前記下肢マッサージシステムはさらに、
共通の軸から径方向に離れるように延在しかつ前記共通の軸の周りを回転するように構成可能な第１および第２の突出部材を備え、前記共通の軸は、前記細長部分の前記第２の端セクションと前記角部の前記角セクションとの間に引いた線に垂直な軸であり、前記第１および第２の突出部材は異なる方向を向くように構成され、前記第１および第２の突出部材は前記角部の前記後方底壁の少なくとも一部の下に位置決め可能であり、前記第１および第２の突出部材の各々は、前記角部の前記内部に向けて突出することと前記角部の前記内部に向けて突出しないこととの間が切換わるような態様で前記共通の軸に対して回転可能であり、前記角部が前記足を収容すると、前記第１および第２の突出部材の各々は前記共通の軸の周りの前記突出部材の回転を制御することによって前記足の裏に加えられる圧力の量を制御するように構成可能であり、前記第１および第２の突出部材の各々は、前記突出部材が最大位置まで回転すると前記足の裏に第１の最大圧力を加えるように構成可能であり、
前記第２の拡大可能部材と前記第１および第２の突出部材の各々とは、協働して、前記主筐体の前記角部の前記内部に向けて前記第２の拡大可能部材を拡大させかつ前記最大位置まで前記第１および第２の突出部材の各々を回転させることによって第２の最大圧力まで前記足の裏に徐々に増大する圧力を加えるように構成可能であり、前記第２の最大圧力は前記第１の最大圧力よりも大きい、下肢マッサージシステム。
【請求項２】
前記左下側壁、右下側壁、後方頂壁、および後方底壁は、前記左上側壁、右上側壁、前方頂壁、および前方底壁とそれぞれ連通する、請求項１に記載の下肢マッサージシステム。
【請求項３】
前記第１の拡大可能部材は第１の入力ポートを備え、前記第１の拡大可能部材は、前記第１の入力ポートを介して正圧が加えられると前記細長部分の前記内部に向けて拡大するように構成可能であり、
前記第２の拡大可能部材は第２の入力ポートを備え、前記第２の拡大可能部材は、前記第２の入力ポートを介して正圧が加えられると前記角部の前記内部に向けて拡大するように構成可能である、請求項１に記載の下肢マッサージシステム。
【請求項４】
下肢が前記主筐体に挿入された際、前記第１の端セクションは前記下肢の少なくとも脹脛部分を収容するように構成可能であり、前記第２の端セクションは前記下肢の少なくとも爪先部分を収容するように構成可能であり、かつ前記角部は前記下肢の少なくとも足首および踵部分を収容するように構成可能である、請求項１に記載の下肢マッサージシステム。
【請求項５】
前記第３の拡大可能部材は実質的にＬ字状体を含むこと、
前記第４の拡大可能部材は実質的にＬ字状体を含むこと、
前記第５の拡大可能部材は実質的にＬ字状体を含むこと、
前記第６の拡大可能部材は実質的に四辺形状体を含むこと、
前記第７の拡大可能部材は実質的に四辺形状体を含むこと、
前記第８の拡大可能部材は実質的に四辺形状体を含むこと、
前記第４の拡大可能部材および第５の拡大可能部材は、前記第４の拡大可能部材と第５の拡大可能部材とを合わせた形状が四辺形に似るような態様で隣接して位置決めされること、
前記第４の拡大可能部材および第５の拡大可能部材は、前記第４の拡大可能部材と前記第５の拡大可能部材とを合わせた前記形状が前記第８の拡大可能部材の形状に似るような態様で隣接して位置決めされること、
前記第６の拡大可能部材および第７の拡大可能部材は、前記第６の拡大可能部材と第７の拡大可能部材とを合わせた前記形状がＬ字に似るような態様で隣接して位置決めされること、ならびに／または
前記第６の拡大可能部材および第７の拡大可能部材は、前記第６の拡大可能部材と第７の拡大可能部材とを合わせた前記形状が前記第３の拡大可能部材の形状に似るような態様で隣接して位置決めされること、
のうち１つ以上が当てはまる、請求項１に記載の下肢マッサージシステム。
【請求項６】
前記第１の拡大可能部材は実質的に台形状体を含むこと、
前記第２の拡大可能部材は実質的に六角形状体を含むこと、ならびに／または
前記第１の拡大可能部材および第２の拡大可能部材は、前記第１の拡大可能部材の少なくとも一部が前記第２の拡大可能部材に隣接しかつ前記第１の拡大可能部材が前記第２の端セクションと前記第２の拡大可能部材との間に位置決めされるような態様で位置決めされること、
のうち１つ以上が当てはまる、請求項１に記載の下肢マッサージシステム。
【請求項７】
前記拡大可能部材のうち１つ以上に正圧を与えるように動作可能な１つ以上の正圧源をさらに備える、請求項１に記載の下肢マッサージシステム。
【請求項８】
前記拡大可能部材のうち１つ以上は独立して拡大可能である、請求項１に記載の下肢マッサージシステム。
【請求項９】
前記第１の拡大可能部材に加えられる前記正圧は、前記細長部分の前記内部に向けた前記第１の拡大可能部材の拡大を制御するように選択的に制御可能であること、
前記第２の拡大可能部材に加えられる前記正圧は、前記角部の前記内部に向けた前記第２の拡大可能部材の拡大を制御するように選択的に制御可能であること、
前記第３の拡大可能部材に加えられる前記正圧は、前記角部の前記内部に向けた前記第３の拡大可能部材の拡大を制御するように選択的に制御可能であること、
前記第４の拡大可能部材に加えられる前記正圧は、前記管状部分の前記内部に向けた前記第４の拡大可能部材の拡大を制御するように選択的に制御可能であること、
前記第５の拡大可能部材に加えられる前記正圧は、前記管状部分の前記内部に向けた前記第５の拡大可能部材の拡大を制御するように選択的に制御可能であること、
前記第６の拡大可能部材に加えられる前記正圧は、前記角部の前記内部に向けた前記第６の拡大可能部材の拡大を制御するように選択的に制御可能であること、
前記第７の拡大可能部材に加えられる前記正圧は、前記角部の前記内部に向けた前記第７の拡大可能部材の拡大を制御するように選択的に制御可能であること、および
前記第８の拡大可能部材に加えられる前記正圧は、前記管状部分の前記内部に向けた前記第８の拡大可能部材の拡大を制御するように選択的に制御可能であること、
のうち１つ以上が当てはまる、請求項１に記載の下肢マッサージシステム。
【請求項１０】
前記下肢マッサージシステムは、前記前方底壁に接するように構成可能な１つ以上の第３の突出部材をさらに備え、前記１つ以上の第３の突出部材は前記第２の端セクションに近位でありかつ前記細長部分の前記内部に向けて突出するように作動可能であり、前記下肢マッサージシステムはさらに
前記後方底壁に接するように構成可能な１つ以上の第４の突出部材を備え、前記１つ以上の第４の突出部材は前記角部の曲げセクションに近位でありかつ前記角部の前記内部に向けて突出するように作動可能であり、
前記第１の拡大可能部材および１つ以上の前記第１の突出部材は、協働して、裏内庭ツボを含む前記下肢の前記爪先部分に近位の前記足の裏の少なくとも一部を加圧するように構成可能であり、
１つ以上の前記第２の突出部材は、失眠ツボを含む前記足の少なくとも踵部分を加圧するように構成可能であり、
前記第２の拡大可能部材および前記１つ以上の第３の突出部材は、協働して湧泉ツボを加圧するように構成可能である、請求項１に記載の下肢マッサージシステム。
【請求項１１】
請求項１に記載の前記下肢マッサージシステムを制御するための処理システムであって、
プロセッサを備え、前記プロセッサは、
前記１つ以上の突出部材を回転させて前記主筐体の前記内部に向けて突出させ、
徐々に増大する正圧を前記第２の拡大可能部材に加え、
前記正圧が加えられている間、前記１つ以上の突出部材を第１の方向に第１の期間回転させ、
前記正圧が加えられている間、前記１つ以上の突出部材の回転を第２の期間停止させ、
前記正圧が加えられている間、前記１つ以上の突出部材を前記第１の方向とは反対の第２の方向に第３の期間回転させ、かつ
前記正圧が加えられている間、前記１つ以上の突出部材の回転を第４の期間停止させる、
ように構成可能である、処理システム。
【請求項１２】
前記プロセッサは、
前記１つ以上の第２の突出部材を作動させて前記主筐体の前記内部に向けて突出させ、
前記１つ以上の第３の突出部材を作動させて前記主筐体の前記内部に向けて突出させ、かつ
徐々に増大する正圧を前記第１の拡大可能部材に加える、
ように構成可能である、請求項１１に記載の処理システム。
【請求項１３】
前記プロセッサは、湧泉ツボを含む１つ以上のツボを加圧するような態様で、前記１つ以上の突出部材を協働して回転させかつ前記第２の拡大可能部材および／または第１の拡大可能部材を拡大させるように構成可能である、請求項１１に記載の処理システム。
【請求項１４】
前記プロセッサは前記動作を繰返すように構成可能である、請求項１１に記載の処理システム。
【請求項１５】
前記第１の方向は時計回り方向であること、
前記第１の期間は約０．１から５秒の間であること、
前記第２の期間は約０．１から５秒の間であること、
前記第３の期間は約０．１から５秒の間であること、および／または
前記第４の期間は約０．１から５秒の間であること、
のうち１つ以上が当てはまる、請求項１１に記載の処理システム。
【請求項１６】
前記第１の方向は時計回り方向であること、
前記第１の期間は約０．１から０．９秒の間であること、
前記第２の期間は約０．２から０．８秒の間であること、
前記第３の期間は約０．２から０．９秒の間であること、および／または
前記第４の期間は約０．２から０．８秒の間であること、
のうち１つ以上が当てはまる、請求項１１に記載の処理システム。
【国際調査報告】
2020509920.tif 000020
2020509920.tif 000021
2020509920.tif 000022